(57)【要約】【課題】顧客の利便性を向上させることができる自動券売機、精算機、及び自動改札機を提供する。【解決手段】装置に対して入力される、発券に必要な所定の情報に基づいて切符を発券する自動券売機１において、発券に必要な所定の情報を切符に記録する乗車希望データ書込部８と、切符を自動券売機１外部から内部へと受け入れる取込部１２と、取込部１２に挿入された切符から、切符に記録された発券に必要な所定の情報を読み取る乗車希望データ読取部９とを備え、往路の切符発券時、自動券売機１に対して入力された、発券に必要な所定の情報を乗車希望データ書込部８が切符に書き込み発券し、復路の切符発券時、取込部１２に挿入された往路の切符から、乗車希望データ読取部９が発券に必要な所定の情報を読み取り、所定の情報を利用して復路の切符を発券する。【選択図】        図１
2008084163.tif 000002
【特許請求の範囲】
【請求項１】
装置に対して入力される、発券に必要な所定の情報に基づいて切符を発券する自動券売機において、
前記発券に必要な所定の情報を切符に記録するデータ書込部と、
切符を装置外部から内部へと受け入れる受入部と、
前記受入部に挿入された切符から、該切符に記録された発券に必要な所定の情報を読み取るデータ読取部とを備え、
往路の切符発券時、装置に対して入力された、発券に必要な所定の情報を前記データ書込部が切符に書き込み発券し、
復路の切符発券時、前記受入部に挿入された往路の切符から、前記データ読取部が前記発券に必要な所定の情報を読み取り、該所定の情報を利用して復路の切符を発券することを特徴とする自動券売機。
【請求項２】
装置に対して入力される、発券に必要な所定の情報に基づいて切符を発券する自動券売機において、
前記発券に必要な所定の情報を携帯端末装置が撮影可能な画像として生成する画像生成部と、
前記画像生成部で生成された前記画像を表示する表示部と、
前記外部装置の表示部に表示された前記画像を読み取り、該画像を解析して前記発券に必要な所定の情報を取得する画像読取部とを備え、
往路の切符発券時、装置に対して入力された、発券に必要な所定の情報を、前記携帯端末装置が撮影可能な画像として前記画像生成部が生成すると共に前記表示部が前記画像を表示し、
復路の切符発券時、前記携帯端末装置の表示部に表示された前記画像を前記画像読取部が撮影すると共に解析して前記発券に必要な所定の情報を取得し、該所定の情報を利用して切符を発券することを特徴とする自動券売機。
【請求項３】
装置に対して入力される、発券に必要な所定の情報に基づいて切符を発券する自動券売機において、
携帯端末装置の電子メイルアドレスを入力する電子メイルアドレス入力部と、
前記発券に必要な所定の情報を電子メイルとして前記携帯端末装置へと送信する電子メイル送信処理部と、
前記携帯端末装置の表示部に表示された、前記切符の発券に必要な所定の情報を示す画像を読み取り、該画像を解析して前記切符の発券に必要な所定の情報を取得する画像読取部とを備え、
往路の切符発券時、装置に対して入力された、発券に必要な所定の情報を、前記電子メイル送信処理部が、前記電子メイルアドレス入力部から入力された前記携帯端末装置のアドレスに対して電子メイルとして送信し、
復路の切符発券時、前記携帯端末装置の表示部に表示された、前記切符の発券に必要な所定の情報を示す画像を前記画像読取部が撮影すると共に解析して前記発券に必要な所定の情報を取得し、該所定の情報を利用して切符を発券することを特徴とする自動券売機。
【請求項４】
装置に対して入力される、発券に必要な所定の情報に基づいて上位装置に対して発券の可否を問い合わせ、切符を発券する自動券売機において、
前記発券に必要な所定の情報を切符に記録するデータ書込部と、
切符を装置外部から内部へと受け入れる受入部と、
前記受入部に挿入された切符から、該切符に記録された発券に必要な所定の情報を読み取るデータ読取部と、
前記データ読取部が前記切符から読み取った、前記発券に必要な所定の情報に含まれる乗車駅名と降車駅名を利用して、前記上位装置に対して乗車駅と降車駅との間の経由駅を問い合わせる乗車経路取得部とを備え、
往路の切符発券時、装置に対して入力された、発券に必要な所定の情報を前記データ書込部が切符に書き込み発券し、
復路の切符発券時、前記受入部に挿入された往路の切符から、前記データ読取部が前記発券に必要な所定の情報を読み取り、前記乗車経路取得部が前記上位装置に対して、乗車駅と降車駅との間の経由駅を問い合わせ、該上位装置から受信した経由駅を経由した復路の切符を発券することを特徴とする自動券売機。
【請求項５】
装置に対して入力される、発券に必要な所定の情報に基づいて上位装置に対して発券の可否を問い合わせ、切符を発券する自動券売機において、
前記発券に必要な所定の情報を切符に記録するデータ書込部と、
切符を装置外部から内部へと受け入れる受入部と、
前記受入部に挿入された切符から、該切符に記録された発券に必要な所定の情報を読み取るデータ読取部と、
経由駅が入力される入力部を備え、前記発券に必要な所定の情報に含まれる乗車駅名と降車駅名を利用して、前記入力部から入力された経由駅を介して乗車駅から降車駅への乗車が可能な列車を前記上位装置に対して問い合わせる経由駅名入力部とを備え、
往路の切符発券時、装置に対して入力された、発券に必要な所定の情報を前記データ書込部が切符に書き込み発券し、
復路の切符発券時、前記受入部に挿入された往路の切符から、前記データ読取部が前記発券に必要な所定の情報を読み取ると共に、前記入力部からされた経由駅名に基づき前記経由駅名入力部が前記上位装置に対して、乗車駅と降車駅との間の経由駅を問い合わせ、該上位装置から受信した経由駅を介して乗車駅から降車駅への乗車が可能な列車の切符を発券することを特徴とする自動券売機。
【請求項６】
装置内に挿入された切符から精算金を算出し、清算後、精算が済んだことを示す情報が記録された精算切符を発券する精算機において、
切符を装置外部から内部へと受け入れる受入部と、
前記受入部に挿入された切符から、該切符に記録された発券に必要な所定の情報を読み取るデータ読取部と、
前記データ読取部が読み取った、前記発券に必要な所定の情報を精算切符に記録するデータ書込部とを備え、
精算時、前記受入部に挿入された切符から、前記データ読取部が前記発券に必要な所定の情報を読み取り、該所定の情報を前記データ書込部が前記精算切符に書き込み、発券することを特徴とする精算機。
【請求項７】
装置外部から内部へと切符を受け入れ、改札を行い、切符挿入者の通過の可否を判断する自動改札機において、
装置外部から内部へと挿入された切符から、該切符に記録された発券に必要な所定の情報を読み取るデータ読取部と、
前記データ読取部が読み取った、前記発券に必要な所定の情報を帳票に記録するデータ書込部とを備え、
改札時、装置外部から内部へと挿入された切符から、前記データ読取部が前記発券に必要な所定の情報を読み取り、該所定の情報を前記データ書込部が帳票に記録し、発行することを特徴とする自動改札機。
【発明の詳細な説明】
【技術分野】
【０００１】
本発明は、発券に必要な所定の情報を記録した切符、あるいは精算切符、あるいは帳票を発行する自動券売機、精算機、及び自動改札機に関する。
【背景技術】
【０００２】
従来、駅に設置されている自動券売機において、顧客が切符を購入する時には、自動券売機に対して乗車駅、降車駅、窓側／通路側といった座席位置、禁煙／喫煙といった座席条件等を入力する。すると自動券売機は入力された情報をホストコンピュータに問い合わせ、ホストコンピュータから発券可という情報を受信すると、顧客からの入金確認後、切符を発券している。
【０００３】
また、従来、乗車券購入者が行き先駅を入力する行き先入力部と、発券駅を出発して到着できるすべての駅の列車運行データと料金データとを蓄積したデータ蓄積部と、行き先入力部にて入力された行き先駅までを運行する列車について、発車時刻、乗り換えホーム、乗り継ぎ時間、および行き先駅までの到着時間や所要時間を算出し、さらに行き先駅までの料金を算出する列車データ処理部と、列車データ処理部で算出した情報を出力する情報出力部とを備えた自動発券機がある。このような自動発券機においては、乗車券購入者が発券駅において、行き先入力部に行き先駅を入力すると、列車データ処理部が行き先入力部に入力された行き先駅と行き先駅を入力した時刻、または任意に指定する時刻から列車運行データを算出する。これにより、列車の発着時刻、乗り換えホーム、乗り継ぎ時間、および行き先駅までの到着時間や所要時間などが算出される。そしてこれらの算出結果は、乗車券購入者に示すために、情報出力部において切符等の乗車券に記載される。このように本自動発券機においては、乗車券購入者は、乗車券を購入する際に、切符などの乗車券の表示によって行き先駅までのデータを知ることができる（例えば、特許文献１参照。）。
【特許文献１】特開平６−１１１０８７号公報
【発明の開示】
【発明が解決しようとする課題】
【０００４】
上記従来の自動券売機においては、ある地点を往復する場合に往路切符の購入時に復路切符も合わせて購入しない限り、顧客は復路切符購入時に自動券売機に対して再び、乗車駅、降車駅、座席位置、座席条件等を最初から入力する必要があり、往路切符購入時に自動券売機に対して入力したデータを、復路切符購入時に利用することができないという問題点があった。
【課題を解決するための手段】
【０００５】
上記課題を解決するために本発明で設けた解決手段は、装置に対して入力される、発券に必要な所定の情報に基づいて切符を発券する自動券売機において、前記発券に必要な所定の情報を切符に記録するデータ書込部と、切符を装置外部から内部へと受け入れる受入部と、前記受入部に挿入された切符から、該切符に記録された発券に必要な所定の情報を読み取るデータ読取部とを備え、往路の切符発券時、装置に対して入力された、発券に必要な所定の情報を前記データ書込部が切符に書き込み発券し、復路の切符発券時、前記受入部に挿入された往路の切符から、前記データ読取部が前記発券に必要な所定の情報を読み取り、該所定の情報を利用して復路の切符を発券するものである。
【発明の効果】
【０００６】
本発明によれば、往路の切符発券時、自動券売機に対して入力された、発券に必要な所定の情報をデータ書込部が切符に書き込み発券し、復路の切符発券時、受入部に挿入された往路の切符から、データ読取部が発券に必要な所定の情報を読み取り、所定の情報を利用して復路の切符を発券することにより、往路の切符発券時に入力された情報を、往路の切符発券時に利用することができるようになる。これにより、復路の切符発券時に自動券売機に対して入力される情報を減らすことができるようになり、顧客の入力作業の軽減、及び購入時間の短縮が可能となる。その結果、顧客の利便性を向上させることができる。
【発明を実施するための最良の形態】
【０００７】
以下、本発明の実施例を図面に従って説明する。なお各図面に共通する要素には同一の符号を付す。
【実施例１】
【０００８】
図１は実施例１の自動券売機の構成を示すブロック図である。
図１において、駅等に設置された自動券売機１は、記憶部６と、顧客操作部７と、乗車希望データ書込部８と、乗車希望データ読取部９と、印字部１０と、発行部１１と、切符を自動券売機１内部へと受け入れる受入部である取込部１２と、現金処理部１３と、通信部１４と、自動券売機全体の動作を制御する主制御部５とから構成されている。
【０００９】
記憶部６は、装置制御プログラムや自動券売機１の制御に必要な各種データの格納、及び切符購入者である顧客により入力されたデータを記憶する。顧客操作部７は、自動券売機１の前部に設けられており、ＣＲＴ、あるいはＬＣＤ等の表示装置と、該表示装置の上部に配置され、画面に触れることで自動券売機１に対して情報を入力することができるタッチパネル機能を備えた入力装置とから構成されている。そして表示装置は主制御部５の指示に基づき顧客に対して知らせる、発券に必要な情報を表示すると共に、入力装置は顧客により触れられた箇所に基づく情報を主制御部５に送信する。
【００１０】
乗車希望データ書込部８は図示せぬ磁気ヘッドを備え、該磁気ヘッドにより切符や領収書等の裏面に形成された磁気記憶部に、主制御部５から受信した、装置に対して入力される、発券に必要な所定の情報である乗車希望データを書き込む。これにより、切符に乗車希望データが記録される。乗車希望データ読取部９もまた図示せぬ磁気ヘッドを備え、該磁気ヘッドにより切符や領収書等の磁気記憶部に書き込まれた乗車希望データを読み取り、該読み取った乗車希望データを主制御部５へと送信する。また、印字部１０は切符や領収書等の表面に文字やイメージ等を印刷する。
【００１１】
発行部１１は切符、あるいは領収書を搬送する搬送路を備えており、該搬送路の一端部には、まだ情報が記憶、及び印字されていない発行前の切符、及び領収書を収納した切符収納庫、及び領収書収納庫が接続されている。また搬送路途中には、前記印字部１０、及び乗車希望データ書込部８が配設されており、搬送路の他端部は、自動券売機１の前部に形成され、切符や領収書等を顧客へと受け渡す排出口が形成されている。
【００１２】
そして発行部１１は搬送路に配設された図示せぬ繰出し手段、及び搬送手段を駆動して切符収納庫、及び領収書収納庫からそれぞれ切符、及び領収書を図示せぬ搬送路へと繰り出し、切符、及び領収書を印字部１０、及び乗車希望データ書込部８へと搬送する。そして発券、あるいは発行可能状態となった切符、あるいは領収書を更に排出口へと搬送し、装置外部へと排出する。
【００１３】
取込部１２もまた、切符、あるいは領収書を搬送する搬送路を備えており、該搬送路の一端部であり、自動券売機１の前部には、顧客により挿入される切符や領収書等を自動券売機１内部へと取り込む取込口が形成されている。また搬送路途中には、前記乗車希望データ読取部９が配設されており、搬送路に配設された図示せぬ搬送手段を駆動して取込口から挿入された切符や領収書を乗車希望データ読取部９へと搬送する。なお、処理後の切符、あるいは領収書は再び取込口へと戻され、顧客に返却される。
【００１４】
現金処理部１３は、紙幣、硬貨の投入口、及び排出口を備えると共に、鑑別部、収納部等を備え、顧客により投入された切符の購入代金としての紙幣、及び硬貨の真偽判別、計数等を行い主制御部５へと送信すると共に、釣銭がある場合には顧客へと釣銭を排出する。
【００１５】
通信部１４は上位装置である図示せぬホストコンピュータとの通信を制御し、ＬＡＮやインターネット、専用線、及び無線等の通信回線に接続されている。なお、ホストコンピュータには記憶部が接続されており、該記憶部には発券に必要な情報が記憶されている。
【００１６】
次に上記構成における往路切符発券時の自動券売機１の動作について図１、図２、図３を参照し、図４に示すフローチャートに従って説明する。図２は実施例１の自動券売機の表示画面を示す説明図、図３は実施例１の自動券売機で発券された切符を示す説明図、図４は実施例１の自動券売機の往路切符の発券動作を示すフローチャートである。
【００１７】
図１において、顧客は自動券売機１の顧客操作部７から乗車駅名、降車駅名、乗車日時、列車名、座席位置、座席条件、購入枚数を選択、あるいは入力する。これら切符を発券するために必要な情報が入力されると、顧客操作部７の表示装置には図２に示す画面が表示される。この画面には購入ボタン１６、及び取消ボタン１７も合わせて表示され、顧客が購入ボタン１６に触れると、顧客操作部７から主制御部５に対して、乗車駅名、降車駅名、乗車日時、列車名、座席位置、座席条件、購入枚数が送信される。一方、顧客が取消ボタン１６に触れると、ここで発券動作は終了となり、自動券売機１は待機状態へと移行する。
【００１８】
主制御部５は顧客操作部７から乗車駅名、降車駅名、乗車日時、列車名、座席位置、座席条件、購入枚数を受信すると、記憶部６に該情報を記憶すると共に、通信部、及び通信回線を介してホストコンピュータに対して切符の発券が可能か否かを問い合わせる。ホストコンピュータは問い合わせを受信すると、記憶部に記憶されている情報に基づき、発券が可能か否かを判断する。なお、今回は発券が可能と判断した場合について説明する。ホストコンピュータは発券可と判断すると、該発券可を示す情報と切符の金額を通信回線を介して自動券売機１に送信する。自動券売機１は通信部１４を介して発券可を示す情報と切符の金額を受信すると、顧客操作部７の表示装置に切符の購入金額を表示させる。
【００１９】
顧客が紙幣、硬貨の投入口から切符の購入に必要な金額を入金し、主制御部５が現金処理部１３から発券可能な金額が入力されたことを示す情報を受信すると、発券が可能となったと判断し、図４に示すフローチャートが開始される。
【００２０】
ステップＳ１で主制御部５は発行部１１に対して発券を指示する。この指示を受けて発行部１１は図示せぬ搬送手段を駆動して切符収納庫から切符を１枚繰出し、搬送路を排出口方向へと搬送動作を開始する。ステップＳ２で主制御部５は記憶部６から乗車駅名、降車駅名、乗車日時、列車名、座席位置、座席条件である乗車データを読み出し、該情報を印字部１０に送信する。印字部１０は乗車データを受信すると、搬送されてきた切符の表面に、受信した乗車データを印字する。
【００２１】
ステップＳ３で主制御部５は記憶部６から乗車駅名、降車駅名、座席位置、座席条件である乗車希望データを読み出し、該乗車希望データを乗車希望データ書込部８に送信する。乗車希望データ書込部８は乗車希望データを受信すると、搬送されてきた切符の裏面の磁気記憶部に、受信した乗車希望データを磁気ヘッドにより記録する。
【００２２】
なお、図３に示すように切符１８の磁気記録部において、往路の乗車駅（今回は「東京」）は乗車駅データ部１９に記録され、往路の降車駅（今回は「新大阪」）は降車駅データ部２０に記録され、往路の座席位置（今回は「窓側」）は座席位置データ部２１に記録され、往路の座席条件（今回は「禁煙」）は座席条件データ部２２に記録される。
【００２３】
切符１８の表面、及び裏面に必要なデータが印字、及び記録されると、ステップＳ４へと進み、主制御部５は切符１８を排出口から排出させて、発券処理を終了とする。
【００２４】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書にも切符１８と同様に、表面には乗車駅名、降車駅名、発着時日時、列車名、座席位置、座席条件を印字すると共に受領金額を印字し、裏面の磁気記録部には乗車希望データを記録して、切符１８と合わせて排出口から排出する。
【００２５】
なお、切符１８を排出する際等、所定のタイミングで顧客操作部７の表示装置に、切符には乗車希望データが記録されていることを表示し、顧客に知らせる。
【００２６】
次に乗車希望データが磁気記録部に記録されている往路切符を利用して、顧客が復路の切符を購入するために上記構成における自動券売機１に前記往路切符を挿入した場合の、自動券売機１の動作について図１、図３、図５、図６、図７、図８を参照し、図９、図１０に示すフローチャートに従って説明する。図５、図６、図７、図８は実施例１の自動券売機の表示画面を示す説明図、図９、図１０は実施例１の自動券売機の復路切符の発券動作を示すフローチャートである。
【００２７】
なお、本発券動作は、例えば、往路の切符のみ購入した顧客が往路の列車に乗車する前に、自動券売機１で復路の切符を購入する場合に実行される。また、改札口の内側に設置された切符を取り扱う装置に本実施例の機能を備えることで、往路の切符を利用して列車に乗った顧客が降車駅の改札口を通る前で、まだ往路の切符を持っている状態で復路の切符の購入を行うことができるようにしても良い。
【００２８】
更に、領収書に記録されている乗車希望データを利用して復路の切符を購入する場合には、往路の降車駅到着後、改札口の外側に設置されている自動券売機１に領収書を挿入すること乗車希望データを利用して復路の切符を購入することができる。
【００２９】
図１において、発券動作を行っていない待機状態の自動券売機１の顧客操作部７の表示装置には図５に示す切符購入初期画面が表示される。この画面には通常の方法で発券する場合に選択される切符購入開始ボタン２３と、往路希望乗車データを使用する場合に選択される往路乗車希望データ使用ボタン２４が表示される。
【００３０】
ここで、顧客が切符購入開始ボタン２３に触れると、通常の方法での発券動作が実行される。なお、往路の切符を購入する場合にも切符購入開始ボタン２３が選択される。一方、顧客が往路乗車希望データ使用ボタン２４に触れると、主制御部５は図９、図１０に示すフローチャートを開始する。ステップＳ１１で主制御部５は顧客操作部７の表示装置に図６に示すように「切符取込口に乗車希望データが記録された切符を挿入してください。」と表示させる。なお、挿入されるのは乗車希望データが記録された領収書であっても良い。そしてステップＳ１２へと進み、切符が挿入されるのを待つ状態へと移行する。
【００３１】
顧客が取込口から切符を挿入すると、図示せぬ検知センサが切符を検知し、主制御部５に切符が挿入されたことを示す情報が送信され、これを受けてステップＳ１２からステップＳ１３へと進み、取込部１２は図示せぬ搬送手段を駆動して切符を自動券売機１内部へと取り込み、乗車希望データ読取部９へと切符を搬送する。乗車希望データ読取部９に切符が到達すると、図示せぬ磁気ヘッドにより切符の磁気記憶部に書き込まれた乗車駅名、降車駅名、座席位置、座席条件である乗車希望データを読み取り、該読み取った乗車希望データを主制御部５へと送信する。
【００３２】
主制御部５は乗車希望データを受信すると、ステップＳ１４へと進み、乗車駅データ（「東京駅」）は乗車希望データの降車駅データとして記憶部６に記憶し、降車駅データ（「新大阪」）は乗車希望データの乗車駅データとして記憶すると共に、座席位置データ（「窓側」）と、座席条件データ（「禁煙」）もまた乗車希望データとして記憶する。
【００３３】
次にステップＳ１５で主制御部５は記憶部６から乗車希望データを読み出すと共に、ホストコンピュータ４に乗車駅名、降車駅名、座席位置、座席条件、購入枚数を送信し、発行することができる切符の問い合わせを行う。なお、前記ステップＳ１４で主制御部５は往路の乗車駅データを復路の降車駅データとし、また往路の降車駅データを復路の乗車駅データとして記憶部６に記憶しているので、主制御部５は乗車駅を「新大阪」、降車駅を「東京」としてホストコンピュータに対して問い合わせを行う。そしてステップＳ１６へと進み、ホストコンピュータからの回答を待つ状態へと移行する。
【００３４】
また、顧客が１枚の往路の切符を挿入することで、復路において同一列車の複数枚の切符を購入することができるように、自動券売機１からホストコンピュータに発行することができる切符の問い合わせを行う前に、顧客操作部７の表示装置に希望購入枚数の入力を行うことができる画面を表示させても良い。
【００３５】
ホストコンピュータは当日以降で、新大阪駅から東京駅に向かう列車で、禁煙車両の窓側に空きがある列車を見つけると、列車名、発着日時を記憶部１５から読み出し、更に切符の料金を算出して自動券売機１に対して送信する。
【００３６】
主制御部５はホストコンピュータから、新大阪駅から東京駅に向かう列車で、禁煙車両の窓側に空きがある列車の列車名、発着日時、及び金額を受信すると、ステップＳ１６からステップＳ１７へと進み、ホストコンピュータから受信した列車名、発着日時、及び金額を一旦記憶部６に記憶すると共に、顧客操作部７の表示装置に図７に示すように、記憶部６から読み出して乗車駅名、降車駅名、座席位置、座席条件、購入枚数、発着日時、更に選択ボタン２５（２５ａ、２５ｂ・・・２５ｎ）、前ボタン２６、次ボタン２７を顧客操作部７の表示装置に表示させる。そしてステップＳ１８へと進み、いずれかの選択ボタン２５が選択されるのを待つ状態へと移行する。
【００３７】
顧客が希望する列車の発着日時を見つけ、該当する選択ボタン２５に触れると、顧客操作部７から主制御部５に対して選択された発着日時と列車名が送信される。なお、希望の発着日時が表示されていない場合には、顧客は前ボタン２６、あるいは次ボタン２７に触れ、発着日時の表示を切り替える。
【００３８】
これを受けて主制御部５はステップＳ１８からステップＳ１９へと進み、受信した、顧客が発券を希望している列車の発着日時と列車名を一旦記憶部６に記憶すると共に、顧客操作部７の表示装置に図８に示すように、記憶部６から読み出して乗車駅名、降車駅名、座席位置、座席条件、購入枚数、発着日時、列車名を表示させると共に、購入ボタン２８、取消ボタン２９を表示させる。そしてステップＳ２０へと進み、購入ボタン２８、あるいは取消ボタン２９のいずれかが選択されるのを待つ状態へと移行する。
【００３９】
顧客は顧客操作部７に表示されている情報を確認し、購入ボタン２８、あるいは取消ボタン２９のいずれかに触れる。顧客が購入ボタン２８に触れ、購入ボタン２８に触れたことを示す情報が顧客操作部７から主制御部５に送信されると、ステップＳ２１へと進み、一方、取消ボタン２９に触れたことを示す情報が顧客操作部７から主制御部５に送信されると、主制御部５は本発券処理を終了とする。そして待機状態へと移行する。
【００４０】
ステップＳ２０からステップＳ２１へと進んだ場合、主制御部５は顧客操作部７の表示画面に切符の購入代金を表示させると共に、現金処理部１３に対して精算を指示する。そしてステップＳ２２へと進み、精算が済むのを待つ状態へと移行する。顧客が切符の購入代金を自動券売機１に投入し、現金処理部１３から主制御部５に対して切符の購入代金が投入されたことを示す信号が送信されると、ステップＳ２３へと進み、主制御部５は発行部１１に対して発券を指示する。この指示を受けて発行部１１は切符収納庫から切符を繰出し、図示せぬ搬送路を排出口方向へと搬送動作を開始する。ステップＳ２４で主制御部５は記憶部６から乗車駅名、降車駅名、発着日時、列車名、座席位置、座席条件である乗車データを読み出し、該情報を印字部１０に送信する。印字部１０はデータを受信すると、搬送されてきた切符の表面に、受信したデータを印字する。
【００４１】
ステップＳ２５で主制御部５は記憶部６から乗車駅名、降車駅名、座席位置、座席条件である乗車希望データを読み出し、該乗車希望データを乗車希望データ書込部８に送信する。乗車希望データ書込部８は乗車希望データを受信すると、磁気ヘッドにより搬送されてきた切符１８の裏面の磁気記憶部に、受信した乗車希望データを記録する。
【００４２】
切符１８の表面、及び裏面に必要なデータが印字、及び記録されると、ステップＳ２６へと進み、主制御部５は切符１８を排出口から排出させて、発券処理を終了とする。
【００４３】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、降車駅名、発着日時、列車名、座席位置、座席条件、及び受領金額を印字し、裏面の磁気記録部には乗車希望データを記録し、切符１８と合わせて排出口から排出する。
【００４４】
また、主制御部５は顧客が図８に示す画面で購入ボタン２８に触れると、ホストコンピュータに対して、乗車駅名、降車駅名、乗車日時、列車名、座席位置、座席条件、販売枚数を送信し、ホストコンピュータはこれを受けて記憶部に記憶されている情報を更新する。
【００４５】
なお、ステップＳ２５において、復路切符の発券時においても乗車希望データを磁気記録部に記録することで、今回の到着駅である「東京駅」から「新大阪駅」に戻ってくる切符を購入する際に、記録した乗車希望データを利用することができる。あるいはステップＳ２５を省略しても良い。
【００４６】
また、切符の磁気記録部に自動改札機を利用する時に必要な情報を合わせて書き込んでも良い。
【００４７】
以上本発明の実施例１においては、往路の切符発券時、自動券売機１に対して入力された、発券に必要な乗車希望データを乗車希望データ書込部８が切符の磁気記録部に書き込み発券し、復路の切符発券時、自動券売機１内に挿入された往路の切符から、乗車希望データ読取部９が乗車希望データを読み取り、該乗車希望データを利用して復路の切符を発券することにより、往路の切符発券時に入力された情報を、往路の切符発券時に利用することができるようになる。これにより、復路の切符発券時に自動券売機１に対して入力される情報を減らすことができるようになり、顧客の入力作業の軽減、及び購入時間の短縮が可能となる。その結果、顧客の利便性を向上させることができる。
【実施例２】
【００４８】
次に本発明の実施例２について説明する。なお、上記実施例１と同様な箇所には同一符号を付して説明は省略する。図１１は実施例２の自動券売機の構成を示すブロック図である。
【００４９】
図１１において、本実施例２の自動券売機５１において、上記実施例１の自動券売機１と異なる点は、乗車希望データ書込部８と、乗車希望データ読取部９の代わりに、バーコードデータ印刷部５３と、バーコードデータ読取部５４とを備えている点である。
【００５０】
バーコードデータ印刷部５３は、印字部１０と共に発行部１１の搬送路中に配設されており、一方、バーコードデータ読取部５４は、取込部１２の搬送路中に配設されている。
【００５１】
バーコードデータ印刷部５３は乗車希望データのバーコードを生成するバーコード生成部と、切符の表面に、生成したバーコードを印刷する印刷部とを備えており、主制御部５から乗車希望データを受信すると、バーコード生成部が乗車希望データを示すバーコードを作成し、印刷部が切符表面に該バーコードを印刷する。これにより、切符表面に乗車希望データが記録される。
【００５２】
バーコードデータ読取部５４は切符表面に印刷されたバーコードを読み取り、後述する解析部にバーコードデータとして送信する読取部と、該読取部からバーコードデータを受信し、該バーコードデータとして記憶された情報を認識して所定のデータに変換し、主制御部５に送信する解析部とを備えており、読取部が切符に印刷されたバーコードを読み取ると、該読み取ったバーコードをバーコードデータとして解析部に送信し、解析部は読取部から受信したバーコードデータとして記録された情報を認識して所定のデータに変換し、主制御部５に送信する。なお、バーコードの印刷は印字部１０で行うようにしても良い。
【００５３】
なお、その他の構成は実施例１と同様であるので説明は省略する。
次に上記構成における往路切符発券時の自動券売機５１の動作について図１１、図１２を参照し、図１３に示すフローチャートに従って説明する。図１２は実施例２の自動券売機で発券された切符を示す説明図、図１３は実施例２の自動券売機の往路切符の発券動作を示すフローチャートである。
【００５４】
図１１において、顧客は自動券売機５１の顧客操作部７から乗車駅名、降車駅名、乗車日時、列車名、座席位置、座席条件、購入枚数を選択、あるいは入力する。これら切符を発券するために必要な情報が入力されると顧客操作部７の表示装置には実施例１の図２に示す画面と同様の画面が表示される。ここで顧客が購入ボタン１６に触れると、顧客操作部７から主制御部５に対して、乗車駅名、降車駅名、乗車日時、列車名、座席位置、座席条件、購入枚数が送信される。一方、顧客が取消ボタン１６に触れると、ここで発券動作は終了となり、自動券売機１は待機状態へと移行する。
【００５５】
主制御部５は顧客操作部７から乗車駅名、降車駅名、乗車日時、列車名、座席位置、座席条件、購入枚数を受信すると、記憶部６に該情報を記憶すると共に、通信部１４、及び通信回線を介してホストコンピュータに対して切符の発券が可能か否かを問い合わせる。ホストコンピュータは問い合わせを受信すると、記憶部に記憶されている情報に基づき、発券が可能か否かを判断する。なお、今回は発券が可能と判断した場合について説明する。ホストコンピュータは発券可と判断すると、該発券可を示す情報と切符の金額を通信回線を介して自動券売機１に送信する。自動券売機１は通信部１４を介して発券可を示す情報と切符の金額を受信すると、顧客操作部７の表示装置に切符の購入金額を表示させる。
【００５６】
顧客が紙幣、硬貨の投入口から切符の購入に必要な金額を入金し、主制御部５が現金処理部１３から発券可能な金額が入力されたことを示す情報を受信すると、発券が可能となったと判断し、図１３に示すフローチャートが開始される。
【００５７】
ステップＳ１０１で主制御部５は発行部１１に対して発券を指示する。この指示を受けて発行部１１は図示せぬ搬送手段を駆動して切符収納庫から切符を１枚繰出し、搬送路を排出口方向へと搬送動作を開始する。ステップＳ１０２で主制御部５は記憶部６から乗車駅名、降車駅名、乗車日時、列車名、座席位置、座席条件である乗車データを読み出し、該情報を印字部１０に送信する。印字部１０は乗車データを受信すると、搬送されてきた切符の表面に、受信した乗車データを印字する。
【００５８】
ステップＳ１０３で主制御部５は記憶部６から乗車駅名、降車駅名、座席位置、座席条件である乗車希望データを読み出し、該乗車希望データをバーコードデータ印刷部５３に送信する。バーコードデータ印刷部５３は乗車希望データを受信すると、バーコード生成部が乗車希望データを示すバーコードを作成し、印刷部が切符表面に図１２に示すようにバーコード５６を印刷する。
【００５９】
切符１８の表面に必要なデータが印刷されるとステップＳ１０４へと進み、主制御部５は切符１８を排出口から排出させて、発券処理を終了とする。
【００６０】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書にも切符１８と同様に、表面に文字として乗車駅名、降車駅名、発着日時、列車名、座席位置、座席条件を印字すると共に受領金額を印字し、更にバーコードとして乗車希望データを印刷して切符１８と合わせて排出口から排出する。
【００６１】
なお、切符１８を排出する際等、所定のタイミングで顧客操作部７の表示装置に、切符には乗車希望データが印刷されていることを表示し、顧客に知らせる。
【００６２】
次に乗車希望データがバーコードデータとして印刷されている往路切符を利用して、顧客が復路の切符を購入するために上記構成における自動券売機５１に前記往路切符を挿入した場合の、自動券売機５１の動作について図１１、図１２を参照し、図１４、図１５に示すフローチャートに従って説明する。図１４、図１５は実施例２の自動券売機の復路切符の発券動作を示すフローチャートである。
【００６３】
図１１において、発券動作を行っていない待機状態の自動券売機５１の顧客操作部７の表示装置には実施例１の図５に示す画面と同様の切符購入初期画面が表示される。
【００６４】
ここで、顧客が切符購入開始ボタン２３に触れると、通常の方法での発券動作が実行される。一方、顧客が往路乗車希望データ使用ボタン２４に触れると、主制御部５は図１４、図１５に示すフローチャートを開始する。
【００６５】
ステップＳ１１１で主制御部５は顧客操作部７の表示装置に「切符取込口に乗車希望データが記録された切符を挿入してください。」と表示させる。そしてステップＳ１１２へと進み、切符が挿入されるのを待つ状態へと移行する。
【００６６】
顧客が取込口から切符を挿入すると、図示せぬ検知センサが切符を検知し、主制御部５に切符が挿入されたことを示す情報が送信され、これを受けてステップＳ１１２からステップＳ１１３へと進み、取込部１２は図示せぬ搬送手段を駆動して切符を自動券売機５１内部へと取り込みバーコードデータ読取部５４へと切符を搬送する。バーコードデータ読取部５４に切符が到達すると、読取部が切符に印刷されたバーコードを読み取り、該読み取ったバーコードをバーコードデータとして解析部に送信する。解析部は読取部から受信したバーコードデータに記憶された乗車駅名、降車駅名、座席位置、座席条件である乗車希望データを認識して所定のデータに変換し、主制御部５に送信する。
【００６７】
主制御部５は乗車希望データを受信すると、ステップＳ１１４へと進み、乗車駅データ（「東京駅」）は乗車希望データの降車駅データとして記憶部６に記憶し、降車駅データ（「新大阪」）は乗車希望データの乗車駅データとして記憶すると共に、座席位置データ（「窓側」）と、座席条件データ（「禁煙」）もまた乗車希望データとして記憶する。
【００６８】
なお、ステップＳ１１５からステップＳ１２２までの処理は、上記実施例１のステップＳ１５からステップＳ２２までの処理と同様であるので説明は省略する。
【００６９】
ステップＳ１２３で主制御部５は発行部１１に対して発券を指示する。この指示を受けて発行部１１は切符収納庫から切符を繰出し、図示せぬ搬送路を排出口方向へと搬送動作を開始する。ステップＳ１２４で主制御部５は記憶部６から乗車駅名、降車駅名、発着日時、列車名、座席位置、座席条件である乗車データを読み出し、該情報を印字部１０に送信する。印字部１０は乗車データを受信すると、搬送されてきた切符の表面に、受信した乗車データを印字する。
【００７０】
ステップＳ１２５で主制御部５は記憶部６から乗車駅名、降車駅名、座席位置、座席条件である乗車希望データを読み出し、該乗車希望データをバーコードデータ印刷部５３に送信する。バーコードデータ印刷部５３は乗車希望データを受信すると、バーコード生成部が乗車希望データを示すバーコードを生成し、印字部が切符表面に図１２に示すようにバーコードを印刷する。
【００７１】
切符１８の表面に必要なデータが印字されるとステップＳ１２６へと進み、主制御部５は切符１８を排出口から排出させて、発券処理を終了とする。
【００７２】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、降車駅名、発着日時、列車名、座席位置、座席条件、及び受領金額を印字すると共に、バーコード化した乗車希望データを印刷し、切符１８と合わせて排出口から排出する。
【００７３】
また、主制御部５は顧客が実施例１の図８に示す画面と同様の画面で購入ボタン２８に触れると、ホストコンピュータに対して、乗車駅名、降車駅名、乗車日時、列車名、座席位置、座席条件、販売枚数を送信し、ホストコンピュータはこれを受けて記憶部に記憶されている情報を更新する。
【００７４】
なお、ステップＳ１２５において、復路切符の発券時においても、乗車希望データをバーコード化して切符に印刷することで、今回の到着駅である「東京駅」から「新大阪駅」に戻ってくる切符を購入する際に、印刷した乗車希望データを利用することができる。あるいはステップＳ１２５を省略しても良い。
【００７５】
以上本発明の実施例２においては、往路の切符発券時、自動券売機５１に対して入力された、発券に必要な乗車希望データをバーコードデータ印刷部５３が切符１８に印刷し発券し、復路の切符発券時、自動券売機５１内部に挿入された切符から、バーコードデータ読取部５４が乗車希望データを読み取り、該乗車希望データを利用して切符を発券することにより、上記実施例１と同様の効果を奏することができると共に、磁気記録部を備えていない切符、あるいは領収書においても、往路の切符発券時に入力された情報を、往路の切符発券時に利用することができるようになる。その結果、実施例１の自動券売機１よりも更に、顧客の利便性を向上させることができる。
【実施例３】
【００７６】
次に本発明の実施例３について説明する。なお、上記実施例１と同様な箇所には同一符号を付して説明は省略する。図１６は実施例３の自動券売機の構成を示すブロック図、図１７は実施例３の携帯電話の構成を示すブロック図である。
【００７７】
図１６において、本実施例３の自動券売機６１において、上記実施例１の自動券売機１と異なる点は、乗車希望データ書込部８と、乗車希望データ読取部９の代わりに、バーコードデータ表示部６３と、携帯端末装置表示バーコードデータ読取部６４とを備えている点である。また、バーコードデータ表示部６３と、携帯端末装置表示バーコードデータ読取部６４は、自動券売機６１の前部であり、顧客操作部７近傍に配設されている。
【００７８】
バーコードデータ表示部６３は、乗車希望データをバーコードデータとして生成するバーコード生成部と、生成したバーコードを表示する表示部とを備えており、主制御部５から乗車希望データを受信すると、バーコード生成部が乗車希望データを示すバーコードを作成し、表示部に表示する。なお、バーコードデータ表示部６３には、バーコード生成機能のみ持たせ、バーコードデータは顧客操作部７に表示させるようにしても良い。
【００７９】
携帯端末装置表示バーコードデータ読取部６４はカメラ等の撮影機能を備え、携帯電話等の携帯端末装置の表示部に画像として表示されているバーコードを読み取り、後述する解析部にバーコードデータとして送信する読取部と、該読取部からバーコードデータを受信し、該バーコードデータとして記憶された情報を認識して所定のデータに変換し、主制御部５に送信する解析部とを備えており、携帯端末装置表示バーコードデータ読取部６４の読取部が携帯端末装置の表示部に画像として表示されているバーコードを読み取ると、該読み取ったバーコードをバーコードデータとして解析部に送信し、解析部は読取部から受信したバーコードデータとして記憶された情報を認識して所定のデータに変換し、主制御部５に送信する。
【００８０】
次に本実施例の自動券売機６１とバーコードデータの受渡しを行うための携帯端末装置としての携帯電話６５の構成について説明する。なお、ここでは自動券売機６１とのバーコードデータの受渡しに関する構成についてのみ説明する。
【００８１】
図１７において、携帯電話６５には、記憶部６６と、表示部６７と、操作部６８と、バーコードデータ読取部６９と、携帯電話６５全体を制御する主制御部７０が設けられている。
【００８２】
記憶部６６は装置制御プログラムや制御に必要な各種データの格納、及び自動券売機６１と受渡しするバーコードデータを保存する。表示部６７はＬＤＣ等で構成されており、自動券売機６１に読み取らせるバーコードデータを表示する。操作部６８は表示データの切り替えや、携帯電話６２に必要な情報が入力される時に操作され、入力された情報は主制御部７０に送信される。
【００８３】
バーコードデータ読取部６９はカメラ等の撮影機能を備え、自動券売機６１のバーコードデータ表示部６３、あるいは顧客操作部７の表示装置に画像として表示されているバーコードを読み取り、後述する解析部にバーコードデータとして送信する読取部と、該読取部からバーコードデータを受信し、該バーコードデータとして記憶された情報を認識して所定のデータに変換し、主制御部７０に送信する解析部とを備えており、バーコードデータ読取部６９の読取部が自動券売機６１のバーコードデータ表示部６３、あるいは顧客操作部７に画像として表示されているバーコードを読み取ると、該読み取ったバーコードをバーコードデータとして解析部に送信し、解析部は読取部から受信したバーコードデータとして記憶された情報を認識して所定のデータに変換し、主制御部７０に送信する。主制御部７０はバーコードデータ読取部６９からデータを受信すると、記憶部６６に記憶する。
【００８４】
なお、主制御部７０が乗車希望データをバーコードデータとして生成するバーコード生成部を備え、バーコード生成部が記憶部６６から読み出したデータに基づいて乗車希望データを示すバーコードを作成し、表示部６７に送信する。
【００８５】
なお、その他の構成は実施例１と同様であるので説明は省略する。
次に上記構成における往路切符発券時の自動券売機６１の動作について図１６、図１７、図１８、図１９を参照し、図２０に示すフローチャートに従って説明する。図１８は実施例３の自動券売機の表示画面を示す説明図、図１９は実施例３の自動券売機の表示画面を示す説明図、図２０は実施例３の自動券売機の往切符の発券動作を示すフローチャートである。
【００８６】
図１６において、顧客は自動券売機６１の顧客操作部７から乗車駅名、降車駅名、乗車日時、列車名、座席位置、座席条件、購入枚数を選択、あるいは入力する。これら切符を発券するために必要な情報が入力されると、顧客操作部７の表示装置には実施例１の図２に示す画面と同様の画面が表示される。ここで顧客が購入ボタン１６に触れると、顧客操作部７から主制御部５に対して、乗車駅名、降車駅名、乗車日時、列車名、座席位置、座席条件、購入枚数が送信される。一方、顧客が取消ボタン１６に触れると、ここで発券動作は終了となり、自動券売機６１は待機状態へと移行する。
【００８７】
主制御部５は顧客操作部７から乗車駅名、降車駅名、乗車日時、列車名、座席位置、座席条件、購入枚数を受信すると、記憶部６に該情報を記憶すると共に、通信部１４、及び通信回線を介してホストコンピュータに対して切符の発券が可能か否かを問い合わせる。ホストコンピュータは問い合わせを受信すると、記憶部に記憶されている情報に基づき、発券が可能か否かを判断する。なお、今回は発券が可能と判断した場合について説明する。ホストコンピュータは発券可と判断すると、該発券可を示す情報と切符の金額を通信回線４を介して自動券売機１に送信する。自動券売機１は通信部１４を介して発券可を示す情報と切符の金額を受信すると、顧客操作部７の表示装置に切符の購入金額を表示させる。
【００８８】
顧客が紙幣、硬貨の投入口から切符の購入に必要な金額を入金し、主制御部５が現金処理部１３から発券可能な金額が入力されたことを示す情報を受信すると、発券が可能となったと判断し、図２０に示すフローチャートが開始される。
【００８９】
ステップＳ２０１で主制御部５は顧客操作部７に対して携帯端末装置への乗車希望データを保存するか否かを問い合わせる指示を送信する。この指示を受けて顧客操作部７は図１８に示すように表示装置に乗車希望データのバーコードデータを携帯端末に保存するか否かの問い合わせの表示を行う。そして顧客からの回答入力を待つ状態へと移行してステップＳ２０２へと進み、主制御部５は顧客操作部７から情報が送信されてくるのを待つ状態へと移行する。ここで、主制御部５は顧客操作部７から顧客が保存するボタン７１を選択したことを示す情報を受信するとステップＳ２０３へと進み、一方、顧客操作部７から顧客が保存しないボタン７２を選択したことを示す情報を受信するとステップＳ２０５へと進む。
【００９０】
ステップＳ２０２からステップＳ２０３へと進んだ場合、主制御部５は記憶部６から乗車駅名、降車駅名、座席位置、座席条件である乗車希望データを読み出し、該乗車希望データをバーコードデータ表示部６３に送信する。バーコードデータ表示部６３は乗車希望データを受信すると、バーコード生成部が乗車希望データをバーコードデータとして生成し、図１９に示すように該生成したバーコードデータをバーコード７３として表示部に表示すると共に、バーコードの撮影を行うことと、保存後、終了ボタン７４を押下することを指示する文章を表示する。そしてステップＳ２０４で、バーコードデータ表示部６３は顧客がバーコードを撮影し、携帯電話６５に保存したことを示す終了ボタン７４が押下されるのを待つ状態へと移行する。
【００９１】
ここで顧客は携帯電話６５のバーコードデータ読取部６９の読取部を、自動券売機６１のバーコードデータ表示部６３の表示部に表示されているバーコード７３に向ける。すると、バーコードデータ読取部６９の読取部はバーコード７３を読み取り、解析部にバーコードデータとして送信する。解析部は読取部から受信したバーコードデータに記憶された乗車駅名、降車駅名、座席位置、座席条件である乗車希望データを認識して所定のデータに変換し、主制御部７０に送信する。主制御部７０は乗車希望データを受信すると、記憶部６６に記憶する。記憶が完了すると、主制御部７０は表示部６７にバーコードデータの記憶が完了したことを示す情報を表示させる。この情報を見た顧客は図１９に示す自動券売機６１のバーコードデータ表示部６３に表示されている終了ボタン７４に触れる。
【００９２】
すると、バーコードデータ表示部６３から主制御部５に対してバーコードの読取が終了したことを示す情報が送信され、ステップＳ２０５へと進む。ステップＳ２０５で主制御部５は発行部１１に対して発券を指示する。この指示を受けて発行部１１は図示せぬ搬送手段を駆動して切符収納庫から切符を１枚繰出し、搬送路を排出口方向へと搬送動作を開始する。ステップＳ２０６で主制御部５は記憶部６から乗車駅名、降車駅名、乗車日時、列車名、座席位置、座席条件である乗車データを読み出し、該情報を印字部１０に送信する。印字部１０は乗車データを受信すると、搬送されてきた切符の表面に、受信した乗車データを印字する。
【００９３】
切符の表面に乗車データが印字されると、ステップＳ２０７へと進み、主制御部５は切符を排出口から排出させて、発券処理を終了とする。
【００９４】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、降車駅名、発着日時、列車名、座席位置、座席条件、及び受領金額を印字して、切符と合わせて排出口から排出する。
【００９５】
次に携帯電話６５に記憶されている乗車希望データを利用して、顧客が復路の切符を購入する時の自動券売機６１の動作について図１６、図２１、図２２、図２３を参照し、図２４、図２５に示すフローチャートに従って説明する。図２１、図２２は実施例３の自動券売機の表示画面を示す説明図、図２３は実施例３の携帯電話を示す正面図、図２４、図２５は実施例３の自動券売機の復路切符の発券動作を示すフローチャートである。
【００９６】
図１６において、発券動作を行っていない待機状態の自動券売機６１の顧客操作部７の表示装置には図２１に示す切符購入初期画面が表示される。この画面には通常の方法で発券する場合に選択される切符購入開始ボタン７５と、携帯電話６５に保存されている乗車希望データを使用する場合に選択される携帯端末保存乗車希望データ使用ボタン７６が表示される。
【００９７】
ここで、顧客が切符購入開始ボタン７５に触れると、通常の方法での発券動作が実行される。一方、顧客が携帯端末保存乗車希望データ使用ボタン７６に触れると、主制御部５は図２４、図２５に示すフローチャートを開始する。
【００９８】
ステップＳ２１１で主制御部５は顧客操作部７の表示装置に図２２に示すように「希望乗車データの保存されたバーコードを表示部に表示し、自動券売機のバーコード読取り装置にかざしてください。」と表示させる。そしてステップＳ２１２へと進み、携帯端末装置表示バーコードデータ読取部６４がバーコードを読み取るのを待つ状態へと移行する。
【００９９】
顧客は携帯電話６５の操作部６８を操作して乗車希望データを表示部６７に表示させる指示を入力する。この指示を受けて携帯電話６５の主制御部７０は記憶部６６に記憶されている乗車希望データを図２３に示すようにバーコード７７を画像として表示部６７に表示させる。
【０１００】
顧客は携帯電話６５の表示部６７に表示されているバーコード７７を、自動券売機６１の携帯端末装置表示バーコードデータ読取部６４の読取部にかざす。これにより、ステップＳ２１３で携帯端末装置表示バーコードデータ読取部６４の読取部がバーコード７７を読み取り、該読み取ったバーコード７７をバーコードデータとして解析部に送信する。解析部は受信したバーコードデータに記憶された乗車駅名、降車駅名、座席位置、座席条件である乗車希望データを認識して所定のデータに変換し、主制御部５に送信する。
【０１０１】
主制御部５は乗車希望データを受信すると、ステップＳ２１４へと進み、乗車駅データ（「東京駅」）は乗車希望データの降車駅データとして記憶部６に記憶し、降車駅データ（「新大阪」）は乗車希望データの乗車駅データとして記憶すると共に、座席位置データ（「窓側」）と、座席条件データ（「禁煙」）もまた乗車希望データとして記憶する。
【０１０２】
なお、以下ステップＳ２１５からステップＳ２２２までの処理は、上記実施例１のステップＳ１５からステップＳ２２までの処理と同様であるので説明は省略する。
【０１０３】
ステップＳ２２３で主制御部５は顧客操作部７に対して携帯端末への乗車希望データを保存するか否かを問い合わせる指示を送信する。この指示を受けて顧客操作部７は図１８に示すように表示装置に乗車希望データのバーコードデータを携帯端末に保存するか否かの問い合わせの表示を行う。そして顧客からの回答入力を待つ状態へと移行してステップＳ２２４へと進み、主制御部５は顧客操作部７から情報が送信されてくるのを待つ状態へと移行する。ここで、主制御部５は顧客操作部７から顧客が保存するボタン７１を選択したことを示す情報を受信するとステップＳ２２５へと進み、一方、顧客操作部７から顧客が保存しないボタン７２を選択したことを示す情報を受信するとステップＳ２２７へと進む。
【０１０４】
ステップＳ２２５で主制御部５は記憶部６から乗車駅名、降車駅名、座席位置、座席条件である乗車希望データを読み出し、該乗車希望データをバーコードデータ表示部６３に送信する。バーコードデータ表示部６３は乗車希望データを受信すると、バーコード生成部が乗車希望データをバーコードデータとして生成し、バーコードデータ表示部６４は図１９に示すように該生成したバーコードデータを表示部に表示すると共に、バーコードの撮影を行うことと、保存後、終了ボタン７４を押下することを指示する文章を表示する。そしてステップＳ２２６へと進み、バーコードデータ表示部６３は顧客がバーコードを撮影し、携帯電話６５に保存したことを示す終了ボタン７４が押下されるのを待つ状態へと移行する。
【０１０５】
ここで顧客は携帯電話６５のバーコードデータ読取部６９の読取部を、自動券売機６１のバーコードデータ表示部６３の表示部に表示されているバーコード７３に向ける。すると、バーコードデータ読取部６９の読取部はバーコード７３を読み取り、解析部にバーコードデータとして送信する。解析部は読取部から受信したバーコードデータに記憶された乗車駅名、降車駅名、座席位置、座席条件である乗車希望データを認識して所定のデータに変換し、主制御部７０に送信する。主制御部７０は乗車希望データを受信すると、記憶部６６に記憶する。記憶が完了すると、主制御部７０は表示部６７にバーコードデータの記憶が完了したことを示す情報を表示させる。この情報を見た顧客は図１９に示す自動券売機６１のバーコードデータ表示部６３に表示されている終了ボタン７４に触れる。
【０１０６】
すると、バーコードデータ表示部６３から主制御部５に対してバーコードの読取が終了したことを示す情報が送信され、ステップＳ２２７へと進む。ステップＳ２２７で主制御部５は発行部１１に対して発券を指示する。この指示を受けて発行部１１は切符収納庫から切符を１枚繰出し、図示せぬ搬送路を排出口方向へと搬送動作を開始する。ステップＳ２２８で主制御部５は記憶部６から乗車駅名、降車駅名、発着日時、列車名、座席位置、座席条件である乗車データを読み出し、該情報を印字部１０に送信する。印字部１０は乗車データを受信すると、搬送されてきた切符の表面に、受信した乗車データを印字する。そしてステップＳ２２９で主制御部５は切符を排出口から排出させて、発券処理を終了とする。
【０１０７】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、降車駅名、発着日時、列車名、座席位置、座席条件、及び受領金額を印字し、切符と合わせて排出口から排出する。
【０１０８】
また、主制御部５はステップＳ２２０で購入ボタン２８が選択されると、ホストコンピュータに対して、乗車駅名、降車駅名、乗車日時、列車名、座席位置、座席条件、販売枚数を送信し、ホストコンピュータはこれを受けて記憶部に記憶されている情報を更新する。
【０１０９】
なお、ステップＳ２２３からステップＳ２２６において、復路切符の発券時においても、乗車希望データをバーコード化して携帯端末装置に記憶することで、今回の到着駅である「東京駅」から「新大阪駅」に戻ってくる切符を購入する際に、記憶した乗車希望データを利用することができる。あるいはステップＳ２２３からステップＳ２２６を省略しても良い。
【０１１０】
以上本発明の実施例３においては、往路の切符発券時、自動券売機６１に対して入力された、発券に必要な情報である乗車希望データを、携帯電話６５が撮影可能な画像として生成すると共に表示部に表示し、復路の切符発券時、携帯電話６５の表示部６７に表示された画像を撮影すると共に解析して乗車希望データを取得し、該乗車希望データを利用して切符を発券することにより、上記実施例２と同様に、磁気記録部を備えていない切符、あるいは領収書においても、往路と復路の切符を別々に購入する場合に、顧客の入力作業の軽減、及び購入時間の短縮が可能となる。その結果、顧客の利便性を向上させることができる。
【０１１１】
また、本実施例においては、切符、あるいは領収書を持っていなくても、往路の乗車希望データを利用して復路の切符の購入を行うことができ、実施例１の自動券売機１、あるいは実施例２の自動券売機５１よりも更に、顧客の利便性を向上させることができる。
【実施例４】
【０１１２】
次に本発明の実施例４について説明する。なお、上記実施例１と同様な箇所には同一符号を付して説明は省略する。図２６は実施例４の自動券売機の構成を示すブロック図、図２７は実施例４の携帯電話の構成を示すブロック図である。
【０１１３】
図２６おいて、本実施例４の自動券売機８１において、上記実施例１の自動券売機１と異なる点は、乗車希望データ書込部８の代わりに、電子メイル送信処理部８２を備え、また乗車希望データ読取部９の代わりに、実施例３と同様の携帯端末装置表示バーコードデータ読取部６４を備えている点である。
【０１１４】
電子メイル送信処理部８２は乗車希望データをバーコードデータとして生成するバーコード生成部と、顧客が入力したメイルアドレスを記憶するメイルアドレス記憶部と、生成したバーコードをバーコードデータとして顧客の携帯電話等の携帯端末装置に電子メイルで送信する電子メイル送信部とを備えており、主制御部５から乗車希望データを受信すると、バーコード生成部が乗車希望データを示すバーコードを作成し、電子メイル送信部がバーコードをバーコードデータとして、電子メイルアドレス記憶部に記憶したメイルアドレスに電子メイルとして送信する。なお、顧客操作部７が電子メイルアドレス入力部の機能を備えている。
【０１１５】
次に本実施例の自動券売機８１とバーコードデータの受渡しを行うための携帯端末装置としての携帯電話８５の構成について説明する。なお、ここでは自動券売機８１とのバーコードデータの受渡しに関する構成についてのみ説明する。
【０１１６】
図２７において、携帯電話８５には、記憶部８６と、表示部８７と、操作部８８と、電子メイル送受信部８９と、携帯電話６５全体を制御する主制御部９０が設けられている。
【０１１７】
記憶部８６は装置制御プログラムや制御に必要な各種データの格納、及び自動券売機８１と受渡しするバーコードデータを保存する。表示部８７はＬＤＣ等で構成されており、電子メイルアドレス等を表示する。
【０１１８】
操作部８８は表示データの切り替えや、携帯電話８５に必要な情報が入力される時に操作され、入力された情報は主制御部９０に送信される。電子メイル受信部８９は自動券売機８１の電子メイル送信処理部８２から電子メイルとして送信されてくるバーコードデータを受信し、後述する解析部に送信する受信部と、該受信部からバーコードデータを受信し、該バーコードデータとして記憶された情報を認識して所定のデータに変換し、主制御部７０に送信する解析部とを備えており、電子メイル受信部８９の受信部が自動券売機８１の電子メイル送信処理部８３から電子メイルとして送信されてきたバーコードデータを受信すると、該受信したバーコードデータを解析部に送信し、解析部は受信部から受信したバーコードデータとして記憶された情報を認識して所定のデータに変換し、主制御部９０に送信する。主制御部９０は電子メイル受信部８９からデータを受信すると、記憶部８６に記憶する。
【０１１９】
なお、主制御部９０が乗車希望データをバーコードデータとして生成するバーコード生成部を備え、バーコード生成部が記憶部８６から読み出したデータに基づいて乗車希望データを示すバーコードを作成し、表示部８７に送信する。
【０１２０】
なお、その他の構成は実施例１、及び実施例３と同様であるので説明は省略する。
【０１２１】
次に上記構成における往路切符発券時の自動券売機８１の動作について図２６、図２７、図２８、図２９を参照し、図３０に示すフローチャートに従って説明する。図２８、図２９は実施例４の自動券売機の表示画面を示す説明図である。
【０１２２】
図２６において、顧客は自動券売機８１の顧客操作部７から乗車駅名、降車駅名、乗車日時、列車名、座席位置、座席条件、購入枚数を選択、あるいは入力する。これら切符を発券するために必要な情報が入力されると、顧客操作部７の表示装置には実施例１の図２に示す画面と同様の画面が表示される。ここで顧客が購入ボタン１６に触れると、顧客操作部７から主制御部５に対して、乗車駅名、降車駅名、乗車日時、列車名、座席位置、座席条件、購入枚数が送信される。一方、顧客が取消ボタン１７に触れると、ここで発券動作は終了となり、自動券売機８１は待機状態へと移行する。
【０１２３】
主制御部５は顧客操作部７から乗車駅名、降車駅名、乗車日時、列車名、座席位置、座席条件、購入枚数を受信すると、記憶部６に該情報を記憶すると共に、通信部１４、及び通信回線を介してホストコンピュータに対して切符の発券が可能か否かを問い合わせる。ホストコンピュータは問い合わせを受信すると、記憶部に記憶されている情報に基づき、発券が可能か否かを判断する。なお、今回は発券が可能と判断した場合について説明する。ホストコンピュータは発券可と判断すると、該発券可を示す情報と切符の金額を通信回線を介して自動券売機８１に送信する。自動券売機８１は通信部１４を介して発券可を示す情報と切符の金額を受信すると、顧客操作部７の表示装置に切符の購入金額を表示させる。
【０１２４】
顧客が紙幣、硬貨の投入口から切符の購入に必要な金額を入金し、主制御部５が現金処理部１３から発券可能な金額が入力されたことを示す情報を受信すると、発券が可能となったと判断し、図３０に示すフローチャートが開始される。
【０１２５】
ステップＳ３０１で主制御部５は顧客操作部７に対して携帯端末装置への乗車希望データを保存するか否かを問い合わせる指示を送信する。この指示を受けて顧客操作部７は図２８に示すように表示装置に乗車希望データを電子メイルによる送信で携帯端末装置に保存するか否かの問い合わせの表示を行う。そして顧客からの回答入力を待つ状態へと移行してステップＳ３０２へと進み、主制御部５は顧客操作部７から情報が送信されてくるのを待つ状態へと移行する。ここで、主制御部５は顧客操作部７から顧客がメイル送信するボタン９６を選択したことを示す情報を受信するとステップＳ３０３へと進み、一方、顧客操作部７から顧客がメイル送信しないボタン９７を選択したことを示す情報を受信するとステップＳ３０７へと進む。
【０１２６】
ステップＳ３０２からステップＳ３０３へと進んだ場合、主制御部５は顧客操作部７に対して乗車希望データを送信するメイルアドレスの入力を求める指示を送信する。この指示を受けて顧客操作部７は図２９に示すように「乗車希望データを送信するメイルアドレスを入力してください。」と表示すると共に、文字入力テーブル９２と、顧客が入力したメイルアドレスを表示するメイルアドレス表示部９３を表示する。そして顧客からの回答入力を待つ状態へと移行してステップＳ３０４へと進み、主制御部５は顧客操作部７から情報が送信されてくるのを待つ状態へと移行する。そして、顧客が文字入力テーブルに触れることでメイルアドレスを入力し、入力後、終了ボタン９４に触れると、顧客操作部７から主制御部５に対してメイルアドレスが送信される。主制御部５はメイルアドレスを受信するとステップＳ３０５へと進み、該メイルアドレスを記憶部６に記憶する。なお、顧客がメイルアドレスの入力をやり直すときには、取消ボタン９５に触れる。
【０１２７】
そしてステップＳ３０６で主制御部５は記憶部６から乗車駅名、降車駅名、座席位置、座席条件である乗車希望データを読み出し、該乗車希望データをメイルアドレスと共に電子メイル送信処理部８２に送信する。電子メイル送信処理部８２は乗車希望データを受信すると電子メイルアドレスは電子メイルアドレス記憶部に記憶し、またバーコード生成部が乗車希望データをバーコードデータとして生成し、電子メイル送信部がバーコードをバーコードデータとして、電子メイル記憶部に記憶したメイルアドレスに電子メイルとして送信する。
【０１２８】
携帯電話８５の電子メイル受信部８９の受信部が自動券売機８１の電子メイル送信処理部８２から電子メイルとして送信されてきたバーコードデータを受信すると、該受信したバーコードデータを解析部に送信し、解析部は受信部から受信したバーコードデータに記憶された乗車駅名、降車駅名、座席位置、座席条件である乗車希望データを認識して所定のデータに変換し、主制御部９０に送信する。主制御部９０は乗車希望データを受信すると、記憶部８６に記憶する。記憶が完了すると、主制御部７０は表示部８７にバーコードデータの記憶が完了したことを示す情報を表示させる。
【０１２９】
一方、電子メイル送信処理部８２は電子メイルを送信すると、主制御部５に対してバーコードの送信が終了したことを示す情報を送信し、主制御部５はステップＳ３０７へと進む。
【０１３０】
ステップＳ３０７で主制御部５は発行部１１に対して発券を指示する。この指示を受けて発行部１１は図示せぬ搬送手段を駆動して切符収納庫から切符を１枚繰出し、搬送路を排出口方向へと搬送動作を開始する。ステップＳ３０８で主制御部５は記憶部６から乗車駅名、降車駅名、乗車日時、列車名、座席位置、座席条件である乗車データを読み出し、該情報を印字部１０に送信する。印字部１０は乗車データを受信すると、搬送されてきた切符の表面に、受信した乗車データを印字する。
【０１３１】
切符１８の表面に乗車データが印字されると、ステップＳ３０９へと進み、主制御部５は切符を排出口から排出させて、発券処理を終了とする。
【０１３２】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、降車駅名、発着日時、列車名、座席位置、座席条件、及び受領金額を印字して、切符と合わせて排出口から排出する。
【０１３３】
なお、顧客が復路の切符を購入する時の自動券売機３０１の動作は上記実施例３と同様であるので説明は省略する。
【０１３４】
以上本発明の実施例４においては、往路の切符発券時、自動券売機８１に対して入力された、発券に必要な所定の情報である乗車希望データを、自動券売機８１に入力された携帯電話８５のアドレスに対して電子メイルとして送信し、復路の切符発券時、携帯電話８５の表示部８７に表示された、乗車希望データを示す画像を撮影すると共に解析して乗車希望データを取得し、該乗車希望データを利用して切符を発券することにより、上記実施例３と同様に、磁気記録部を備えていない切符、あるいは領収書においても、往路と復路の切符を別々に購入する場合に、顧客の入力作業の軽減、及び購入時間の短縮が可能となる。その結果、顧客の利便性を向上させることができる。
【０１３５】
また、本実施例の自動券売機８１においては、携帯端末装置にカメラ等の撮影機能が付属されていなくても乗車希望データを携帯端末装置に記憶させることができるので、実施例３の自動券売機６１よりも更に、顧客の利便性を向上させることができる。
【実施例５】
【０１３６】
次に本発明の実施例５について説明する。なお、上記実施例１と同様な箇所には同一符号を付して説明は省略する。図３１は実施例５の自動券売機の構成を示すブロック図である。
【０１３７】
図３１において、本実施例５の自動券売機３０１は、往路とは異なる乗車経路で復路の切符を購入可能としたものである。そのために本実施例５の自動券売機３０１においては、上記実施例１の自動券売機１に加えて更に乗車経路取得部３０２を備えている。乗車経路取得部３０２は往路切符から読み出された乗車希望データに基づき、復路の乗車駅となる駅名、及び復路の降車駅となる駅名、更に座席位置データと座席条件データを加えて通信部１４を介して上位装置であるホストコンピュータ４に経路情報の問い合わせを行い、ホストコンピュータ４から経路情報を受信する機能を備えている。なお、ホストコンピュータ４には、経路情報（経由駅名）を記憶している記憶部１５が接続されており、通信回線３を介して経路情報（経由駅名）を自動券売機３０１に対して送信する。
【０１３８】
なお、その他の構成は実施例１と同様であるので説明は省略する。
次に上記構成における自動券売機３０１の動作について説明する。なお、自動券売機３０１が切符、あるいは領収書の磁気記録部に乗車希望データを記録して発行する動作は、上記実施例１の自動券売機１において、切符、あるいは領収書の磁気記録部に乗車希望データを記録して発行する動作と同様であるので説明は省略し、ここでは上記構成における自動券売機３０１で発行された乗車希望データが磁気記録部に記録されている往路切符を利用して、顧客が復路の切符を購入するために自動券売機３０１に前記往路切符を挿入した場合の、自動券売機３０１の動作について図３１、図３２、図３３、図３４を参照し、図３５、図３６に示すフローチャートに従って説明する。図３２、図３３、図３４は実施例５の自動券売機の表示画面を示す説明図、図３５、図３６は実施例５の自動券売機の復路切符の発券動作を示すフローチャートである。
【０１３９】
なお、本発券動作は、顧客が降車駅が新大阪駅である乗車希望データが記録されている往路切符を、往路降車駅ではない京都駅に設置された自動券売機３０１に挿入したものとして説明する。
【０１４０】
図３１において、発券動作を行っていない待機状態の自動券売機３０１の顧客操作部７の表示装置には実施例１の図５と同様の切符購入初期画面が表示される。
【０１４１】
ここで、顧客が切符購入開始ボタン２３に触れると、通常の方法での発券動作が実行される。一方、顧客が往路乗車希望データ使用ボタン２４に触れると、主制御部５は図３５、図３６に示すフローチャートを開始する。ステップＳ４０１で主制御部５は顧客操作部７の表示装置に実施例１の図６と同様に、「切符取込口に乗車希望データが記録された切符を挿入してください。」と表示させて、顧客に切符の挿入を求める。なお、挿入を求めるのは乗車希望データが記録された領収書であっても良い。そしてステップＳ４０２へと進み、切符が挿入されるのを待つ状態へと移行する。
【０１４２】
顧客が取込口から切符を挿入すると、図示せぬ検知センサが切符を検知し、主制御部５に切符が挿入されたことを示す情報が送信され、これを受けてステップＳ４０２からステップＳ４０３へと進み、取込部１２は図示せぬ搬送手段を駆動して切符を自動券売機３０１内部へと取り込み、乗車希望データ読取部９へと切符を搬送する。乗車希望データ読取部９に切符が到達すると、図示せぬ磁気ヘッドにより切符の磁気記憶部に書き込まれた乗車駅名、降車駅名、座席位置、座席条件である乗車希望データを読み取り、該読み取った乗車希望データを主制御部５へと送信する。
【０１４３】
主制御部５は乗車希望データを受信すると、ステップＳ４０４へと進み、乗車駅データ（「東京駅」）は乗車希望データの降車駅データとして記憶部６に記憶し、降車駅データ（「新大阪」）は乗車希望データの乗車駅データとして記憶すると共に、座席位置データ（「窓側」）と、座席条件データ（「禁煙」）もまた乗車希望データとして記憶する。
【０１４４】
次にステップＳ４０５で主制御部５は記憶部６に記憶した乗車希望データを乗車経路取得部３０２に送信する。乗車経路取得部３０２は乗車希望データを受信すると、乗車駅を「新大阪」、降車駅を「東京」とし、更に座席位置データと座席条件データを加えて通信部１４を介してホストコンピュータ４に経路情報の問い合わせを行う。そしてステップＳ４０６へと進み、ホストコンピュータ４からの回答を待つ状態へと移行する。
【０１４５】
ホストコンピュータ４は記憶部１５から新大阪駅から東京駅に向かう途中の経由駅を見つけると、該経由駅を記憶部１５から読み出し、経路情報として自動券売機３０１に対して送信する。
【０１４６】
乗車経路取得部３０３がホストコンピュータ４から経由駅名を受信すると、主制御部５はステップＳ４０６からステップＳ４０７へと進み、ホストコンピュータ４から受信した経由駅名を一旦記憶部６に記憶すると共に、顧客操作部７の表示装置に図３２に示すように、記憶部６から読み出して乗車駅名、経由駅名、降車駅名、座席位置、座席条件、購入枚数を表示させると共に、経由駅毎に表示される経由駅選択ボタン３０６（３０６ａ、３０６ｂ・・・３０６ｎ）、前ボタン３０７、次ボタン３０８を表示させる。そしてステップＳ４０８へと進み、いずれかの経由駅選択ボタン３０６が選択されるのを待つ状態へと移行する。
【０１４７】
顧客が希望する経由駅（今回は「Ｂ駅」とする）を見つけ、該当する選択ボタン３０６に触れると、顧客操作部７から主制御部５に対して選択された経由駅名が送信される。なお、希望の経由駅が表示されていない場合には、顧客は前ボタン３０７、あるいは次ボタン３０８に触れ、経由駅の表示を切り替える。
【０１４８】
これを受けて主制御部５はステップＳ４０８からステップＳ４０９へと進み、受信した経由駅名を乗車希望データと共に記憶部６に記憶する。次にステップＳ４１０で主制御部５は記憶部６から経由駅名と乗車希望データを読み出すと共に、ホストコンピュータ４に乗車駅名、経由駅名、降車駅名、座席位置、座席条件、購入枚数を送信し、発行することができる切符の問い合わせを行う。そしてステップＳ４１１へと進み、ホストコンピュータ４からの回答を待つ状態へと移行する。
【０１４９】
ホストコンピュータ４は当日以降で、Ｂ駅を経由して新大阪駅から東京駅に向かう列車で、禁煙車両の窓側に空きがある列車を見つけると、列車名、発着日時を記憶部１５から読み出し、更に切符の料金を算出して自動券売機３０１に対して送信する。
【０１５０】
主制御部５はホストコンピュータ４から、Ｂ駅を経由して新大阪駅から東京駅に向かう列車で、禁煙車両の窓側に空きがある列車の列車名、発着日時、及び金額を受信すると、ステップＳ４１１からステップＳ４１２へと進み、ホストコンピュータ４から受信した列車名、発着日時、及び金額を一旦記憶部６に記憶すると共に、顧客操作部７の表示装置に図３３に示すように、記憶部６から読み出して乗車駅名、経由駅名、降車駅名、座席位置、座席条件、購入枚数、発着日時を表示させると共に、選択ボタン３０９（３０９ａ、３０９ｂ・・・３０９ｎ）、前ボタン３１０、次ボタン３１１を表示させる。そしてステップＳ４１３へと進み、いずれかの選択ボタン３０９が選択されるのを待つ状態へと移行する。
【０１５１】
顧客が希望する列車の発着日時を見つけ、該当する選択ボタン３０９に触れると、顧客操作部７から主制御部５に対して選択された発着日時と列車名が送信される。なお、希望の発着日時が表示されていない場合には、顧客は前ボタン３１０、あるいは次ボタン３１１に触れ、発着日時の表示を切り替える。
【０１５２】
これを受けて主制御部５はステップＳ４１３からステップＳ４１４へと進み、受信した、顧客が発券を希望している列車の発着日時と列車名を一旦記憶部６に記憶すると共に、顧客操作部７の表示装置に図３４に示すように、記憶部６から読み出して乗車駅名、経由駅名、降車駅名、座席位置、座席条件、購入枚数、発着日時、列車名を表示させると共に、購入ボタン３１２、取消ボタン３１３を表示させる。そしてステップＳ４１５へと進み、購入ボタン３１２、あるいは取消ボタン３１３のいずれかが選択されるのを待つ状態へと移行する。
【０１５３】
顧客は顧客操作部７に表示されている情報を確認し、購入ボタン３１２、あるいは取消ボタン３１３のいずれかに触れる。顧客が購入ボタン３１２に触れ、購入ボタン３１２に触れたことを示す情報が顧客操作部７から主制御部５に送信されると、ステップＳ４１６へと進み、一方、取消ボタン３１３に触れたことを示す情報が顧客操作部７から主制御部５に送信されると、主制御部５は本券売処理を終了とする。そして待機状態へと移行する。
【０１５４】
ステップＳ４１５からステップＳ４１６へと進んだ場合、主制御部５は顧客操作部７の表示画面に切符の購入代金を表示させると共に、現金処理部１３に対して精算を指示する。そしてステップＳ４１７へと進み、精算が済むのを待つ状態へと移行する。顧客が切符の購入代金を自動券売機３０１に投入し、現金処理部１３から主制御部５に対して切符の購入代金が投入されたことを示す信号が送信されると、ステップＳ４１８へと進み、主制御部５は発行部１１に対して発券を指示する。この指示を受けて発行部１１は切符収納庫から切符を繰出し、図示せぬ搬送路を排出口方向へと搬送動作を開始する。ステップＳ４１９で主制御部５は記憶部６から乗車駅名、経由駅名、降車駅名、発着日時、列車名、座席位置、座席条件を読み出し、該情報を印字部１０に送信する。印字部１０はデータを受信すると、搬送されてきた切符の表面に、受信したデータを印字する。
【０１５５】
ステップＳ４２０で主制御部５は記憶部６から乗車駅名、降車駅名、座席位置、座席条件である乗車希望データと経由駅名を読み出し、該乗車希望データと経由駅名を乗車希望データ書込部８に送信する。乗車希望データ書込部８は乗車希望データと経由駅名を受信すると、磁気ヘッドにより搬送されてきた切符の裏面の磁気記憶部に、受信した乗車希望データと経由駅名を記録する。
【０１５６】
切符の表面、及び裏面に必要なデータが印字、及び記録されると、ステップＳ４２１へと進み、主制御部５は切符を排出口から排出させて、発券処理を終了とする。
【０１５７】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、経由駅名、降車駅名、発着日時、列車名、座席位置、座席条件、及び受領金額を印字し、裏面の磁気記録部には乗車希望データと経由駅名を記録し、切符と合わせて排出口から排出する。
【０１５８】
また、主制御部５は顧客が図３４に示す画面で購入ボタン３１２に触れると、ホストコンピュータ４に対して、乗車駅名、経由駅名、降車駅名、乗車日時、列車名、座席位置、座席条件、販売枚数を送信し、ホストコンピュータ４はこれを受けて記憶部１５に記憶されている情報を更新する。
【０１５９】
なお、ステップＳ４２０において、復路切符の発券時においても、乗車希望データと経由駅名を磁気記録部に記録することで、今回の到着駅である「東京駅」から「新大阪駅」に戻ってくる切符を購入する際に、記録した乗車希望データを利用することができる。あるいはステップＳ４２０を省略しても良い。
【０１６０】
また、切符の磁気記録部に自動改札機を利用する時に必要な情報を合わせて書き込んでも良い。
【０１６１】
以上本発明の実施例５においては、往路の切符発券時、自動券売機３０１に対して入力された、発券に必要な所定の情報である乗車希望データを乗車希望データ書込部８が切符に書き込み発券し、復路の切符発券時、自動券売機３０１内部に挿入された往路の切符から、乗車希望データ読取部９が乗車希望データを読み取り、乗車経路取得部３０２がホストコンピュータ４に対して、乗車駅と降車駅との間の経由駅を問い合わせ、ホストコンピュータ４から受信した経由駅を経由した復路の切符を発券することにより、往路の乗車希望データを利用し、且つ復路の乗車経路を選択することができるようになるので、復路の乗車経路を往路の乗車経路と変えても、顧客の入力作業の軽減、及び購入時間の短縮が可能となる。その結果、更に顧客の利便性を向上させることができる。
【実施例６】
【０１６２】
次に本発明の実施例６について説明する。なお、上記実施例１と同様な箇所には同一符号を付して説明は省略する。図３７は実施例６の自動券売機の構成を示すブロック図、図３８は実施例６の自動券売機の表示画面を示す説明図である。
【０１６３】
図３７において、本実施例の自動券売機３５１において、上記実施例５の自動券売機３０１と異なる点は、乗車経路取得部３０２の代わりに、経由駅名入力部３５２を備えている点である。
【０１６４】
詳しくは、経由駅名入力部３５２は主制御部５から経路駅名の情報を取得する指示を受信すると、顧客操作部７に対して経由駅名入力画面の表示を指示し、顧客操作部７の表示装置に図３８に示す経由駅名入力画面を表示させる。この画面では、顧客に対して経由する駅名の入力を求める文章と、経由駅名を入力するための文字を表示する文字入力テーブル３５５と、取消ボタン３５６と、終了ボタン３５７と、顧客が文字入力テーブル３５５の文字に触れると、該触れられた文字を表示する経由駅名表示部３５８が表示される。そして顧客が経由駅名を文字入力テーブル３５５から選択した文字により入力し、終了ボタン３５７が触れられると、入力された経由駅名が顧客操作部７から経由駅名入力部３５２に送信される。
【０１６５】
そして、経由駅名入力部３５２は顧客が経路変更を選択した時に、通信部１４を介してホストコンピュータ３６６に対して、顧客が入力した経由駅名を経由して購入することができる切符の問い合わせを行う。なお、ホストコンピュータ３６６には上記実施例５と同様に、経由情報（経由駅名）を記憶している記憶部３６７が接続されており、通信回線３を介して経由情報（経由駅名）を自動券売機３５１に対して送信する。
【０１６６】
なお、その他の構成は実施例１と同様であるので説明は省略する。
次に上記構成における自動券売機３５１の動作について説明する。なお、自動券売機３５１が切符、あるいは領収書の磁気記録部に乗車希望データを記録して発行する動作は、上記実施例１の自動券売機１において、切符、あるいは領収書の磁気記録部に乗車希望データを記録して発行する動作と同様であるので説明は省略し、ここでは上記構成における自動券売機３５１で発行された乗車希望データが磁気記録部に記録されている往路切符を利用して、顧客が復路の切符を購入するために自動券売機３５１に前記往路切符を挿入した場合の、自動券売機３５１の動作について図３７、図３８、図３９、図４０、図４１を参照し、図４２、図４３、図４４に示すフローチャートに従って説明する。図３９、図４０、図４１は実施例６の自動券売機の表示画面を示す説明図、図４２、図４３、図４４は実施例６の自動券売機の復路切符の発券動作を示すフローチャートである。
【０１６７】
図３７において、発券動作を行っていない待機状態の自動券売機３５１の顧客操作部７の表示装置には実施例１の図５と同様の切符購入初期画面が表示される。
【０１６８】
ここで、顧客が切符購入開始ボタン２３に触れると、通常の方法での発券動作が実行される。一方、顧客が往路乗車希望データボタン２４に触れると、主制御部５は図４２、図４３、図４４に示すフローチャートを開始する。ステップＳ５０１で主制御部５は顧客操作部７の表示装置に実施例１の図６と同様に、「切符取込口に往路乗車希望データが記録された切符を挿入してください。」と表示させて、顧客に切符の挿入を求める。なお、挿入を求めるのは乗車希望データが記録された領収書であっても良い。そしてステップＳ５０２へと進み、切符が挿入されるのを待つ状態へと移行する。
【０１６９】
顧客が取込口から切符を挿入すると、図示せぬ検知センサが切符を検知し、主制御部５に切符が挿入されたことを示す情報が送信され、これを受けてステップＳ５０２からステップＳ５０３へと進み、取込部１２は図示せぬ搬送手段を駆動して切符を自動券売機３５１内部へと取り込み、乗車希望データ読取部９へと切符を搬送する。乗車希望データ読取部９に切符が到達すると、図示せぬ磁気ヘッドにより切符の磁気記憶部に書き込まれた乗車駅名、降車駅名、座席位置、座席条件である乗車希望データを読み取り、該読み取った乗車希望データを主制御部５へと送信する。
【０１７０】
主制御部５は乗車希望データを受信すると、ステップＳ５０４へと進み、乗車駅データ（「東京駅」）は乗車希望データの降車駅データとして記憶部６に記憶し、降車駅データ（「新大阪」）は乗車希望データの乗車駅データとして記憶すると共に、座席位置データ（「窓側」）と、座席条件データ（「禁煙」）もまた乗車希望データとして記憶する。
【０１７１】
次にステップＳ５０５で主制御部５は記憶部６から乗車希望データを読み出すと共に、ホストコンピュータ４に乗車駅名、降車駅名、座席位置、座席条件、購入枚数を送信し、発行することができる切符の問い合わせを行う。そしてステップＳ５０６へと進み、ホストコンピュータ４からの回答を待つ状態へと移行する。
【０１７２】
また、顧客が１枚の往路の切符を挿入することで、復路において同一列車の複数枚の切符を購入することができるように、自動券売機３５１からホストコンピュータ３６６に発行することができる切符の問い合わせを行う前に、顧客操作部７の表示装置に希望購入枚数の入力を行うことができる画面を表示させても良い。
【０１７３】
ホストコンピュータ３６６は当日以降で、新大阪駅から東京駅に向かう列車で、禁煙車両の窓側に空きがある列車を見つけると、列車名、発着日時を記憶部３６７から読み出し、更に切符の料金を算出して自動券売機３５１に対して送信する。
【０１７４】
主制御部５はホストコンピュータ３６６から、新大阪駅から東京駅に向かう列車で、禁煙車両の窓側に空きがある列車の列車名、発着日時、及び金額を受信すると、ステップＳ５０６からステップＳ５０７へと進み、ホストコンピュータ３６６から受信した列車名、発着日時、及び金額を一旦記憶部６に記憶すると共に、顧客操作部７の表示装置に図３９に示すように、記憶部６から読み出して乗車駅名、降車駅名、座席位置、座席条件、購入枚数、発着日時を表示させると共に、選択ボタン３５８（３５８ａ、３５８ｂ・・・３５８ｎ）、前ボタン３５９、次ボタン３６０、経路変更ボタン３５４を表示させる。そしてステップＳ５０８へと進み、いずれかの選択ボタン３５８、あるいは経路変更ボタン３５４が選択されるのを待つ状態へと移行する。
【０１７５】
ここで、顧客が経路変更ボタン３５４を選択し、顧客操作部７から主制御部５に対して経路変更ボタン３５４が選択されたことを示す情報が送信されると、ステップＳ５０９へと進み、一方、顧客が希望する列車の発着日時を見つけ、該当する選択ボタン３５８に触れると、ステップＳ５１６へと進む。
【０１７６】
今回、経路変更ボタン３５４が選択されたとすると、これを受けて主制御部５はステップＳ５０８からステップＳ５０９へと進み、主制御部５は経路駅名入力部３５２に対して、経由駅名の情報を取得する指示を送信する。経由駅名入力部３５２はこの指示を受信すると、顧客操作部７に対して図３８に示す経由駅名入力画面の表示を指示し、顧客操作部７の表示装置に経由駅名入力画面を表示させる。
【０１７７】
表示後、ステップＳ５１０へと進み、経由駅名入力部３５２は顧客操作部７から経由駅名が送信されてくるのを待つ状態へと移行する。そして顧客が文字入力テーブル３５５の中から選択した文字に触れ、経由駅名の入力が終了し、終了ボタン３５７に触れると、顧客操作部７は経由駅名入力部３５２に対して経由駅名を送信する。なお、入力した文字を取り消す場合には、取消ボタン３５６が選択される。主制御部５は顧客操作部７から経由駅名を受信すると、ステップＳ５１１へと進み、経由駅名を乗車希望データと共に記憶部６に記憶する。なお、ここでは経由駅として「Ｂ駅」が入力されたものとする。
【０１７８】
次にステップＳ５１２で経由駅名入力部３５２は記憶部６から経由駅名と乗車希望データを読み出し、経由駅名入力部３５２に送信する。経由駅名入力部３５２はホストコンピュータ３６６に乗車駅名（新大阪駅）、経由駅名（Ｂ駅）、降車駅名（東京駅）、座席位置、座席条件、購入枚数を送信し、発行することができる切符の問い合わせを行う。そしてステップＳ５１３へと進み、ホストコンピュータ３６６からの回答を待つ状態へと移行する。
【０１７９】
ホストコンピュータ３６６は当日以降で、Ｂ駅を経由して新大阪駅から東京駅に向かう列車で、禁煙車両の窓側に空きがある列車を見つけると、列車名、発着日時を記憶部３６７から読み出し、更に切符の料金を算出して自動券売機３５１に対して送信する。
【０１８０】
経由駅名入力部３５２がホストコンピュータ３６６から、Ｂ駅を経由して新大阪駅から東京駅に向かう列車で、禁煙車両の窓側に空きがある列車の列車名、発着日時、及び金額を受信すると、主制御部５はステップＳ５１３からステップＳ５１４へと進み、ホストコンピュータ３６６から受信した列車名、発着日時、及び金額を一旦記憶部６に記憶すると共に、顧客操作部７の表示装置に図４０に示すように、記憶部６から読み出して乗車駅名、経由駅名、降車駅名、座席位置、座席条件、購入枚数、発着日時を表示させると共に、選択ボタン３６１（３６１ａ、３６１ｂ・・・３６１ｎ）、前ボタン３６２、次ボタン３６３を表示させる。そしてステップＳ５１５へと進み、いずれかの選択ボタン３６１が選択されるのを待つ状態へと移行する。
【０１８１】
顧客が希望する列車の発着日時を見つけ、該当する選択ボタン３６１に触れると、顧客操作部７から主制御部５に対して選択された発着日時と列車名が送信される。なお、希望の発着日時が表示されていない場合には、顧客は前ボタン３６２、あるいは次ボタン３６３に触れ、発着日時の表示を切り替える。
【０１８２】
これを受けて主制御部５はステップＳ５１５からステップＳ５１６へと進み、受信した、顧客が発券を希望している列車の発着日時と列車名を一旦記憶部６に記憶すると共に、顧客操作部７の表示装置に図４１に示すように、記憶部６から読み出して乗車駅名、経由駅名、降車駅名、座席位置、座席条件、購入枚数、発着日時、列車名を表示させると共に、購入ボタン３６４、取消ボタン３６５を表示させる。そしてステップＳ５１７へと進み、購入ボタン３６４、あるいは取消ボタン３６５のいずれかが選択されるのを待つ状態へと移行する。なお、ステップＳ５０８で経由変更ボタン３５４が選択されなかった場合には、経由駅名は表示されない。
【０１８３】
顧客は顧客操作部７に表示されている情報を確認し、購入ボタン３６４、あるいは取消ボタン３６５のいずれかに触れる。顧客が購入ボタン３６４に触れ、購入ボタン３６４に触れたことを示す情報が顧客操作部７から主制御部５に送信されると、ステップＳ３１８へと進み、一方、取消ボタン３６５に触れたことを示す情報が顧客操作部７から主制御部５に送信されると、主制御部５は本発券処理を終了とする。そして待機状態へと移行する。
【０１８４】
ステップＳ５１７からステップＳ５１８へと進んだ場合、主制御部５は顧客操作部７の表示画面に切符の購入代金を表示させると共に、現金処理部１３に対して精算を指示する。そしてステップＳ５１９へと進み、精算が済むのを待つ状態へと移行する。顧客が切符の購入代金を自動券売機３５１に投入し、現金処理部１３から主制御部５に対して切符の購入代金が投入されたことを示す信号が送信されると、ステップＳ５２０へと進み、主制御部５は発行部１１に対して発券を指示する。この指示を受けて発行部１１は切符収納庫から切符を繰出し、図示せぬ搬送路を排出口方向へと搬送動作を開始する。ステップＳ５２１で主制御部５は記憶部６から乗車駅名、経由駅名、降車駅名、発着日時、列車名、座席位置、座席条件である乗車データを読み出し、該情報を印字部１０に送信する。印字部１０は乗車データを受信すると、搬送されてきた切符の表面に、受信した乗車データを印字する。
【０１８５】
ステップＳ５２２で主制御部５は記憶部６から乗車駅名、降車駅、座席位置、座席条件である乗車希望データと経由駅名を読み出し、該乗車希望データと経由駅名を乗車希望データ書込部８に送信する。乗車希望データ書込部８は乗車希望データと経由駅名を受信すると、磁気ヘッドにより搬送されてきた切符の裏面の磁気記憶部に、受信した乗車希望データと経由駅名を記録する。なお、ステップＳ５０８で経由変更ボタン３５４が選択されなかった場合には、切符に経由駅名は書き込まれない。
【０１８６】
切符１８の表面、及び裏面に必要なデータが印字、及び記録されると、ステップＳ５２３へと進み、主制御部５は切符を排出口から排出させて、発券処理を終了とする。
【０１８７】
なお、切符と共に領収書を発行する場合には、切符を切符収納庫から繰出すと共に、領収書を領収書収納庫から繰出し、切符と領収書を連続して図示せぬ搬送路を排出口方向へと搬送する。そして領収書の表面に乗車駅名、経由駅名、降車駅名、発着日時、列車名、座席位置、座席条件、及び受領金額を印字し、裏面の磁気記録部には乗車希望データと経由駅名を記録し、切符と合わせて排出口から排出する。また、ステップＳ５０８で経由変更ボタン３５４が選択されなかった場合には、切符と同様に領収書に経由駅名は書き込まれない。
【０１８８】
また、主制御部５は顧客が図４１に示す画面で購入ボタン３６４に触れると、ホストコンピュータ３６６に対して、乗車駅名、経由駅名、降車駅名、乗車日時、列車名、座席位置、座席条件、販売枚数を送信し、ホストコンピュータ３６６はこれを受けて記憶部３６７に記憶されている情報を更新する。
【０１８９】
なお、ステップＳ５２２において、復路切符の発券時においても、乗車希望データ、及び経由駅名を磁気記録部に記録することで、今回の到着駅である「東京駅」から「新大阪駅」に戻ってくる切符を購入する際に、記録した乗車希望データ、及び経由駅名を利用することができる。あるいはステップＳ５２２を省略しても良い。
【０１９０】
以上本発明の実施例６においては、往路の切符発券時、自動券売機３５１に対して入力された、発券に必要な所定の情報である乗車希望データを乗車希望データ書込部８が切符に書き込み発券し、復路の切符発券時、自動券売機３５１内部に挿入された往路の切符から、乗車希望データ読取部９が乗車希望データを読み取ると共に、顧客操作部７から入力された経由駅名に基づき経由駅名入力部３５２がホストコンピュータ３６６に対して、乗車駅と降車駅との間の経由駅を問い合わせ、ホストコンピュータ３６６から受信した経由駅を介して乗車駅から降車駅への乗車が可能な列車の切符を発券することにより、顧客が経由を希望する任意の駅を顧客自身で自動券売機３５１に対して入力して発券することができるようになるので、実施例５の自動券売機３０１よりも更に、顧客の利便性を向上させることができる。
【実施例７】
【０１９１】
次に本発明の実施例７について説明する。図４５は実施例７の乗越し精算機の構成を示すブロック図である。
【０１９２】
図４５において、駅に設置された乗越し精算機１０１は、記憶部１０６と、表示部１０７と、磁気データ読取部１０８と、乗車希望データ読取部１０９と、磁気データ書込部１１０と、乗車希望データ書込部１１１と、印字部１１２と、取込部１１３と、発行部１１４と、現金処理部１１５と、通信部１１６と、乗越し精算機１０１全体の動作を制御する主制御部１０５とから構成されている。
【０１９３】
記憶部１０６は、装置制御プログラムや乗越し精算機１０１の制御に必要な各種データの格納、及び顧客により挿入された切符から読み取ったデータを記憶する。表示部１０７は、乗越し精算機１０１の前部に設けられており、ＣＲＴ、あるいはＬＣＤ等で構成されている。そして表示部１０７は主制御部１０５の指示に基づき顧客に対して知らせる、精算に必要な情報を表示する。
【０１９４】
磁気データ読取部１０８と乗車希望データ読取部１０９は図示せぬ磁気ヘッドを備え、該磁気ヘッドにより切符の磁気記憶部に書き込まれた所定のデータ、及び乗車希望データを読み取り、該読み取った所定のデータ、及び乗車希望データを主制御部１０５へと送信する。
【０１９５】
磁気データ書込部１１０と乗車希望データ書込部１１１もまた図示せぬ磁気ヘッドを備え、該磁気ヘッドにより切符の裏面に形成された磁気記憶部に、精算完了データ、及び乗車希望データを記憶する。また、印字部１１２は精算切符の表面に文字やイメージ等を印刷する。
【０１９６】
発行部１１４は精算切符、あるいは領収書を搬送する搬送路を備えており、該搬送路の一端部には、まだ情報が記録、あるいは印字されていない発行前の精算切符、及び領収書を収納した切符収納庫、及び領収書収納庫が接続されている。また搬送路途中には、前記印字部１１２、磁気データ書込部１１０、及び乗車希望データ書込部１１１が配設されており、搬送路の他端部は、乗越し精算機１０１の前部に形成され、精算切符や領収書等を顧客へと受け渡す排出口が形成されている。
【０１９７】
そして発行部１１４は搬送路に配設された図示せぬ繰出し手段、及び搬送手段を駆動して切符収納庫、及び領収書収納庫からそれぞれ精算切符、及び領収書を図示せぬ搬送路へと繰り出し、精算切符、及び領収書を印字部１１２、磁気データ書込部１１０、及び乗車希望データ書込部１１１へと搬送する。そして発券可能状態となった精算切符、及び領収書を更に排出口へと搬送し、装置外部へと排出する。
【０１９８】
取込部１１３もまた、精算する切符を搬送する搬送路を備えており、該搬送路の一端部であり、乗越し精算機１０１の前部には、顧客により挿入された精算する切符等を乗越し精算機１０１内部へと取り込む取込口が形成されている。また搬送路途中には、前記磁気データ読取部１０８、及び乗車希望データ読取部１０９が配設されており、搬送路に配設された図示せぬ搬送手段を駆動して取込口から挿入された切符を磁気データ読取部１０８、及び乗車希望データ乗車希望データ読取部１０９へと搬送する。
【０１９９】
現金処理部１１５は、紙幣、硬貨の投入口、及び排出口を備えると共に、鑑別部、収納部等を備え、顧客により投入された切符の精算代金としての紙幣、及び硬貨の真偽判別、計数等を行い主制御部１０５へと送信すると共に、釣銭がある場合には顧客へと釣銭を排出する。通信部１１６は上位装置である図示せぬホストコンピュータとの通信を制御する。
【０２００】
次に上記実施例１の自動券売機１で発券された、乗車希望データが磁気記録部に記録されている切符が上記構成における乗越し精算機１０１に挿入されたときの、乗越し精算機１０１の動作について図４５を参照し、図４６に示すフローチャートに従って説明する。図４６は実施例７の乗越し精算機の精算動作を示すフローチャートである。
【０２０１】
図４５において、待機状態の乗越し精算機１０１の表示部１０７には精算初期画面が表示される。ここで、顧客が取込口から切符を挿入すると、図示せぬ検知センサが切符を検知し、主制御部１０５に切符が挿入されたことを示す情報が送信され、これを受けて主制御部１０５は図４６に示すフローチャートを開始する。ステップＳ６０１で取込部１１３は図示せぬ搬送手段を駆動して切符を乗越し精算機１０１内部へと取り込み、磁気データ読取部１０８へと切符を搬送する。磁気データ読取部１０８に切符が到達すると、図示せぬ磁気ヘッドにより切符の磁気記憶部に書き込まれた乗車駅名、降車駅名等の精算用磁気データを読み取り、該読み取った精算用磁気データを主制御部１０５へと送信する。主制御部１０５は精算用磁気データを受信すると、ステップＳ６０２で記憶部１０６に記憶する。
【０２０２】
切符の搬送動作は継続され、乗車希望データ読取部１０９へと切符は搬送される。乗車希望データ読取部１０９に切符が到達すると、図示せぬ磁気ヘッドにより切符の磁気記憶部に書き込まれた乗車駅名、降車駅名、座席位置、座席条件である乗車希望データを読み取り、該読み取った乗車希望データを主制御部１０５へと送信する。主制御部１０５は乗車希望データを受信すると、ステップＳ６０４へと進み、乗車駅データ（「東京駅」）をそのまま乗車希望データの乗車駅データとして記憶部１０６に記憶し、降車駅データ（「新大阪」）もまたそのまま乗車希望データの降車駅データとして記憶すると共に、座席位置データ（「窓側」）と、座席条件データ（「禁煙」）もまた乗車希望データとして記憶する。
【０２０３】
次にステップＳ６０５で主制御部１０５は記憶部１０６から精算用磁気データを読み出し、これに基づいて精算金の金額を算出し、記憶部１０６に記憶する。次にステップＳ６０６で主制御部１０５は記憶部１０６に記憶した精算金の金額を読み出して表示部１０７に送信すると共に、表示部１０７に対して精算金の金額の表示の指示を送信する。表示部１０７ではこの精算金の金額と指示を受信すると、表示画面に精算金の金額と精算金の入金をお願いする表示を表示させる。そしてステップＳ６０７へと進み、精算金が入金されるのを待つ状態へと移行する。
【０２０４】
顧客が表示部１０７の表示を確認して紙幣の投入口、あるいは硬貨の投入口から精算金を入金し、主制御部１０５が現金処理部１１５から精算金額の入金があったことを示す情報を受信すると、ステップＳ６０８へと進み、主制御部１０５は発行部１１４に対して精算切符の発券を指示する。
【０２０５】
発行部１１４は精算切符の発券指示を受信すると、搬送路に配設された図示せぬ繰出し手段、及び搬送手段を駆動して切符収納庫から切符を繰出し、図示せぬ搬送路を排出口方向へと搬送する動作を開始する。切符が印字部１１２に到達すると、ステップＳ６０９で印字部１１２は搬送されてきた切符の表面に、精算切符であることを示す精算切符データを印字する。更に切符が搬送され、磁気データ書込部１１０に到達すると、ステップＳ６１０で磁気データ書込部１１０は切符の裏面の磁気記録部に精算が済んだ切符であることを示す精算完了データを記録する。ステップＳ６１１で主制御部１０５は記憶部１０６に乗車希望データが記憶されているか否かを判断する。ここで乗車希望データが記憶されている場合には、ステップＳ６１２へと進み、一方「否」の場合には、ステップＳ６１３へと進み、磁気記録部に乗車希望データを記録しない。
【０２０６】
ステップＳ６１１からステップＳ６１２へと進んだ場合、主制御部１０５は記憶部１０６から乗車希望データを読み出し、該乗車希望データを乗車希望データ書込部１１１に送信する。乗車希望データ書込部１１１は乗車希望データを受信すると、磁気ヘッドにより搬送されてきた切符の裏面の磁気記憶部に、受信した乗車希望データを記録する。
【０２０７】
切符の表面、及び裏面に必要なデータが印字、及び記録されると、ステップＳ６１３へと進み、主制御部１０５は精算切符を排出口から排出させて、精算処理を終了とする。
【０２０８】
なお、精算切符と共に領収書を発行する場合には、精算切符を切符収納庫から繰出すと共に、領収書を領収書収納庫から繰出し、切符と領収書を連続して図示せぬ搬送路を排出口方向へと搬送する。そして領収書の表面に受領金額と共に、乗車希望データが記録されていることを示す情報を印字し、裏面の磁気記録部には精算完了データ、及び乗車希望データを記録し、精算切符と合わせて排出口から排出する。
【０２０９】
以上本発明の実施例７においては、切符の精算時、乗越し精算機１０１内部に挿入された切符から、乗車希望データ読取部１０８が発券に必要な所定の情報である乗車希望データを読み取り、該所定の情報を乗車希望データ書込部１１１が精算切符に書き込み、発券することにより、実施例１の自動券売機１において発券された切符の精算時、往路の乗車希望データを精算切符に記録させることができるようになる。これにより、精算する必要のある往路切符の精算後に、乗車希望データが記録された精算切符を利用して復路の切符を購入することができるようになり、精算後であっても顧客の入力作業の軽減、及び購入時間の短縮が可能となる。その結果、顧客の利便性を向上させることができる。
【実施例８】
【０２１０】
次に本発明の実施例８について説明する。なお、上記実施例７と同様な箇所には同一符号を付して説明は省略する。図４７は実施例８の乗越し精算機の構成を示すブロック図である。
【０２１１】
図４７において、本実施例８の乗越し精算機１５１が上記実施例７の乗越し精算機１０１と異なる点は、乗車希望データ書込部１１１と、乗車希望データ読取部１０９の代わりに、バーコードデータ印刷部１５３と、バーコードデータ読取部１５４とを備えている点である。
【０２１２】
バーコードデータ印刷部１５３は、印字部１１２と共に発行部１１４の搬送路中に配設されており、一方、バーコードデータ読取部１５４は、取込部１１３の搬送路中に配設されている。
【０２１３】
バーコードデータ印刷部１５３は、乗車希望データのバーコードを生成するバーコード生成部と、切符の表面に、生成したバーコードを印刷する印刷部とを備えており、主制御部１０５から乗車希望データを受信すると、バーコード生成部が乗車希望データを示すバーコードを作成し、印刷部が切符表面に該バーコードを印刷する。なお、バーコードの印刷は、印字部１１２で行うようにしても良い。
【０２１４】
バーコードデータ読取部１５４は切符表面に印刷されたバーコードを読み取り、後述する解析部にバーコードデータとして送信する読取部と、該読取部からバーコードデータを受信し、該バーコードデータとして記憶された情報を認識して所定のデータに変換し、主制御部１０５に送信する解析部とを備えており、読取部が切符に印刷されたバーコードを読み取ると、該読み取ったバーコードをバーコードデータとして解析部に送信し、解析部は読取部から受信したバーコードデータとして記憶された情報を認識して所定のデータに変換し、主制御部１０５に送信する。
【０２１５】
なお、その他の構成は実施例７と同様であるので説明は省略する。
次に上記実施例２の自動券売機５１で発券された、乗車希望データがバーコードデータとして印刷されている切符が上記構成における乗越し精算機１５１に挿入されたときの、該乗越し精算機１５１の動作について図４７を参照し、図４８に示すフローチャートに従って説明する。図４８は実施例８の乗越し精算機の精算動作を示すフローチャートである。
【０２１６】
図４７において、待機状態の乗越し精算機１５１の表示部１０７には精算初期画面が表示される。ここで、顧客が取込口から切符を挿入すると、図示せぬ検知センサが切符を検知し、主制御部１０５に切符が挿入されたことを示す情報が送信され、これを受けて主制御部１０５は図４８に示すフローチャートを開始する。ステップＳ７０１で取込部１１３は図示せぬ搬送手段を駆動して切符を乗越し精算機１５１内部へと取り込み、磁気データ読取部１０８へと切符を搬送する。磁気データ読取部１０８に切符が到達すると、図示せぬ磁気ヘッドにより切符の磁気記憶部に書き込まれた乗車駅名、降車駅名等の精算用磁気データを読み取り、該読み取った精算用磁気データを主制御部１０５へと送信する。主制御部１０５は精算用磁気データを受信すると、ステップＳ７０２で記憶部１０６に記憶する。
【０２１７】
切符の搬送動作は継続され、バーコードデータ読取部１５４へと切符は搬送される。バーコードデータ読取部１５４に切符が到達すると、ステップＳ７０３で読取部が切符に印刷されたバーコードを読み取り、該読み取ったバーコードをバーコードデータとして解析部に送信する。解析部は読取部から受信したバーコードデータに記憶された乗車駅名、降車駅名、座席位置、座席条件である乗車希望データを認識して所定のデータに変換し、主制御部１０５へと送信する。主制御部１０５は乗車希望データを受信すると、ステップＳ７０４へと進み、乗車駅データ（「東京駅」）をそのまま乗車希望データの乗車駅データとして記憶部１０６に記憶し、降車駅データ（「新大阪」）もまたそのまま乗車希望データの降車駅データとして記憶すると共に、座席位置データ（「窓側」）と、座席条件データ（「禁煙」）もまた乗車希望データとして記憶する。
【０２１８】
なお、ステップＳ７０５からステップＳ７１０までの処理は、上記実施例７のステップＳ６０５からステップＳ６１０までの処理と同様であるので説明は省略する。
【０２１９】
ステップＳ７１１で主制御部１０５は記憶部１０６に乗車希望データが記憶されているか否かを判断する。ここで乗車希望データが記憶されている場合には、ステップＳ７１２へと進み、一方「否」の場合には、ステップＳ７１３へと進み、バーコードデータとして乗車希望データを印刷しない。
【０２２０】
ステップＳ７１１からステップＳ７１２へと進んだ場合、主制御部１０５は記憶部１０６から乗車希望データを読み出し、該乗車希望データをバーコードデータ印刷部１５３に送信する。バーコードデータ印刷部１５３は乗車希望データを受信すると、バーコード生成部が乗車希望データを示すバーコードを作成し、印刷部が切符表面にバーコードを印刷する。
【０２２１】
切符の表面、及び裏面に必要なデータが印字、及び記録されると、ステップＳ７１３へと進み、主制御部１０５は精算切符を排出口から排出させて、精算処理を終了とする。
【０２２２】
なお、精算切符と共に領収書を発行する場合には、精算切符を切符収納庫から繰出すと共に、領収書を領収書収納庫から繰出し、切符と領収書を連続して図示せぬ搬送路を排出口方向へと搬送する。そして領収書の表面に受領金額を印字すると共に、乗車希望データを示すバーコードを印刷し、裏面の磁気記録部には精算完了データを記録し、精算切符と合わせて排出口から排出する。
【０２２３】
以上本発明の実施例８においては、切符の精算時、乗越し精算機１５１内部に挿入された切符から、バーコードデータ読取部１５４が発券に必要な所定の情報である乗車希望データを読み取り、該所定の情報をバーコードデータ印刷部１５３が精算切符に書き込み、発券することにより、実施例２の自動券売機５１において発券された切符の精算時、往路の乗車希望データを精算切符に記録させることができるようになる。これにより、精算する必要のある往路切符の精算後に、乗車希望データが記録された精算切符を利用して復路の切符を購入することができるようになり、精算後であっても顧客の入力作業の軽減、及び購入時間の短縮が可能となる。その結果、顧客の利便性を向上させることができる。また、実施例７、及び実施例８において、改札後、精算切符が回収された後であっても、乗車希望データが記録された領収書を利用して切符を購入することで、顧客の入力作業の軽減、及び購入時間の短縮を可能とすることができる。
【実施例９】
【０２２４】
次に本発明の実施例９について説明する。なお、上記実施例１と同様な箇所には同一符号を付して説明は省略する。図４９は実施例９の自動改札機の構成を示すブロック図である。
【０２２５】
図４９において、自動改札機２０１は、記憶部２０６と、表示部２０７と、受入部２０８と、磁気データ読取部２０９と、乗車希望データ読取部２１０と、乗車希望データ帳票取出部２１１と、乗車希望データ書込部２１２と、印字部２１３と、発行部２１４と、通過者検知部２１５と、ゲート制御部２１６と、通信部２１７と、自動改札機２０１全体の動作を制御する主制御部２０５とから構成されている。
【０２２６】
記憶部２０６は、装置制御プログラムや自動改札機２０１の制御に必要な各種データの格納、及び切符挿入者である顧客により挿入された切符から読み取ったデータを記憶する。表示部２０７は、自動改札機２０１の上部に設けられており、ＣＲＴ、あるいはＬＣＤ等で構成されている。そして表示部２０７は主制御部２０５の指示に基づき顧客、あるいは係員に対して知らせる情報を表示する。
【０２２７】
磁気データ読取部２０９と乗車希望データ読取部２１０は図示せぬ磁気ヘッドを備え、該磁気ヘッドにより切符等の磁気記憶部に書き込まれた所定のデータ、及び乗車希望データを読み取り、該読み取った所定のデータ、及び乗車希望データを主制御部２０５へと送信する。
【０２２８】
乗車希望データ書込部２１２もまた図示せぬ磁気ヘッドを備え、該磁気ヘッドにより切符の裏面に形成された磁気記憶部に、乗車希望データを記憶する。また、印字部２１３は帳票の表面に文字やイメージ等を印刷する。
【０２２９】
発行部２１４は帳票を搬送する搬送路を備えており、該搬送路の一端部には、乗車希望データ帳票取出部２１１が設けられている。この乗車希望データ帳票取出部２１１は、まだ情報が記録、及び印字されていない発行前の帳票を収納した帳票収納庫と、該帳票収納庫から一枚ずつ帳票を搬送路へと繰り出す繰り出し手段とから構成されている。そして繰り出し手段の駆動により帳票を帳票収納庫から一枚搬送路へと繰り出す。また搬送路途中には、前記印字部２１３と、乗車希望データ書込部２１２が配設されており、搬送路の他端部には、自動改札機２０１の端部に形成され、帳票を顧客へと受け渡す排出口に接続されている。なお、顧客が挿入した切符、あるいは定期券を、後で顧客が利用するために再び顧客に戻す場合にも、前記排出口から排出する。
【０２３０】
そして乗車希望データ帳票取出部２１１が搬送路に配設された図示せぬ繰出し手段を駆動して帳票収納庫から帳票を図示せぬ搬送路へと繰り出し、発行部２１２４が搬送手段を駆動して帳票切符収納庫から繰り出された帳票を印字部２１３、乗車希望データ書込部２１２へと搬送する。そして発行可能状態となった帳票を更に排出口へと搬送し、装置外部へと排出する。
【０２３１】
受入部２０８は切符を搬送する搬送路を備えており、該搬送路の一端部であり、自動改札機２０１端部には、顧客により挿入された切符等を自動改札機２０１内部へと取り込む取込口が形成されている。また搬送路途中には、前記磁気データ読取部２０９、及び乗車希望データ読取部２１０が配設されており、搬送路に配設された図示せぬ搬送手段を駆動して取込口から挿入された切符を磁気データ読取部２０９、及び乗車希望データ読取部２１０へと搬送する。
【０２３２】
また、磁気データ読取部２０９、及び乗車希望データ読取部２１０よりも更に自動改札機２０１後方は分岐しており、切符を回収する回収箱が配設されている第１の搬送路と、前記排出口に接続された第２の搬送路が形成されている。
【０２３３】
通過者検知部２１５は自動改札機２０１の側面であって、図示せぬゲートの近傍に設けられ、顧客がゲートを通過しているか否かに応じて情報を変化させて主制御部２０５に送信する。ゲート制御部２１６は自動改札機２０１に設けられ、顧客の出入りを制限するゲートに接続され、該ゲートの開閉を制御する。通信部２１７は上位装置である図示せぬホストコンピュータとの通信を制御する。
【０２３４】
次に上記実施例１の自動券売機１で発券された、乗車希望データが磁気記録部に記録されている切符が上記構成における自動改札機２０１に挿入されたときの、該自動改札機２０１の動作について図４９を参照し、図５０に示すフローチャートに従って説明する。図５０は実施例９の自動改札機の動作を示すフローチャートである。
【０２３５】
図４９において、顧客が取込口から切符を挿入すると、図示せぬ検知センサが切符を検知し、主制御部２０５に切符が挿入されたことを示す情報が送信され、これを受けて主制御部２０５は図５０に示すフローチャートを開始する。ステップＳ８０１で受入部２０８は図示せぬ搬送手段を駆動して切符を自動改札機２０１内部へと取り込み、磁気データ読取部２０９へと切符を搬送する。磁気データ読取部２０９に切符が到達すると、ステップＳ８０２で図示せぬ磁気ヘッドにより切符の磁気記憶部に書き込まれた乗車駅名、降車駅名等の所定の磁気データを読み取り、該読み取った所定の磁気データを主制御部２０５へと送信する。主制御部２０５は磁気データを受信すると、ゲートを閉状態から開状態へとして良いか否かの判断を行い、判断結果を記憶部２０６に記憶する。
【０２３６】
切符の搬送動作は継続され、乗車希望データ読取部２１０へと切符は搬送される。乗車希望データ読取部２１０に切符が到達すると、ステップＳ８０３で図示せぬ磁気ヘッドにより切符の磁気記憶部に書き込まれた乗車駅名、降車駅名、座席位置、座席条件である乗車希望データを読み取り、該読み取った乗車希望データを主制御部２０５へと送信する。そしてステップＳ８０４へと進む。
【０２３７】
主制御部２０５は切符が乗車希望データ読取部２１０へと到達した後、所定時間内に乗車希望データ読取部２１０から乗車希望データを受信すると、ステップＳ８０４からステップＳ８０５へと進み、乗車駅データ（「東京駅」）はそのまま乗車希望データの乗車駅データとして記憶部２０６に記憶し、降車駅データ（「新大阪」）もまたそのまま乗車希望データの降車駅データとして記憶すると共に、座席位置データ（「窓側」）と、座席条件データ（「禁煙」）もまた乗車希望データとして記憶する。
【０２３８】
一方、主制御部２０５は所定時間内に乗車希望データ読取部２１０から乗車希望データを受信することができなかった場合には、切符には乗車希望データは記録されていないと判断して、ステップＳ８０４からステップＳ８０９へと進む。
【０２３９】
ステップＳ８０４からステップＳ８０５へと進んだ場合、主制御部２０５は乗車希望データ帳票取出部２１１に対して帳票の繰り出しを指示し、また発行部２１４に対して帳票の発行を指示する。更に主制御部２０５は印字部２１３に対して乗車希望データが記録された帳票であることを示すデータを送信すると共に、乗車希望データ書込部２１２に対して乗車希望データを送信する。
【０２４０】
乗車希望データ帳票取出部２１１は帳票の繰り出し指示を受信すると、搬送路に配設された図示せぬ繰出し手段を駆動して帳票収納庫から帳票を図示せぬ搬送路へと繰り出す。一方、発行部２１４は帳票の発行指示を受信すると、搬送路に配設された図示せぬ搬送手段を駆動して帳票収納庫から繰り出された帳票を排出口方向へと搬送する動作を開始すると共に、帳票が印字部２１３に到達すると、ステップＳ８０６で印字部２１３は搬送されてきた帳票の表面に、乗車希望データが記録された帳票であることを示すデータを印字する。更に帳票が搬送され、乗車希望データ書込部２１２に到達すると、ステップＳ８０７で乗車希望データ書込部２１２は帳票の裏面の磁気記録部に乗車希望データを記録する。
【０２４１】
帳票の表面、及び裏面に必要なデータが印字、及び記録されると、ステップＳ８０８へと進み、主制御部２０５は帳票を排出口から排出させて発行する。
【０２４２】
続いてステップＳ８０９で主制御部２０５は記憶部２０６に記憶した情報からゲートを閉状態から開状態へとして良いか否かの判断を行い、開状態として良いと判断した場合には、ステップＳ８１０へと進み、一方「否」の場合にはステップＳ８１３へと進む。そしてステップＳ８１０へと進んだ場合、主制御部２０５はゲート制御部２１６に対してゲートを開状態とする指示を送信し、ステップＳ８１１へと進む。ゲート制御部２１６は該指示を受信すると、図示せぬゲートを開状態とし、顧客が自動改札機２０１を通過可能とする。また、主制御部２０５は切符を第１の搬送路へと搬送し、回収箱に回収する。
【０２４３】
通過者検知部２１５はゲートを通過する顧客を検知すると、顧客を検知したことを示す情報を主制御部２０５に送信し、顧客がゲートを通過し終えると、顧客を検知していないことを示す情報を主制御部２０５に対して送信する。主制御部２０５は通過者検知部２１５からの情報に基づいて顧客がゲートを通過したと判断すると、ステップＳ８１２へと進み、ゲート制御部２１６に対してゲートを閉状態とする指示を送信する。ゲート制御部２１６は該指示を受信すると、ゲートを閉状態とする。そして自動改札機２０１は待機状態へと移行する。
【０２４４】
なお、上記ステップＳ８０９からステップＳ８１３へと進んだ場合には、主制御部２０５は表示部２０７に対して通過不可を表示する指示を送信する。表示部２０７はこの指示を受信すると、ＣＲＴに通過不可を示す情報を表示し、顧客に知らせる。そしてゲートを閉状態としたまま、切符を第２の搬送路へと搬送させて排出口から排出する。そして自動改札機２０１は待機状態へと移行する。
【０２４５】
また、ステップＳ８０９で主制御部２０５がゲートを開状態として良いと判断した場合であっても、主制御部２０５は切符から読み取った磁気データから、切符を顧客に返却する必要あると判断すると、切符を排出口近傍へと搬送し、そこで一旦搬送動作を停止させ、前記乗車希望データを記録した帳票が搬送されてくるのを待って、帳票と共に排出口から排出する。そして主制御部２０５が切符と帳票が抜き取られたことを検知すると、自動改札機２０１は待機状態へと移行する。
【０２４６】
以上本発明の実施例９においては、改札時、自動改札機２０１外部から内部へと挿入された切符から、乗車希望データ読取部２１０が発券に必要な所定の情報である乗車希望データを読み取り、該乗車希望データを乗車希望データ書込部２１２が帳票に記録し、発行することにより、実施例１の自動券売機１において発券された切符が自動改札機２０１に挿入された際に、乗車希望データを帳票に記録させて発行することができるようになる。これにより、往路の降車駅に到着して自動改札機２０１を通過し、往路の切符が自動改札機２０１に取り込まれた後で往路の切符を所持していない状態であっても、あるいは、乗車希望データを記憶している携帯端末装置を所持していない状態であっても、乗車希望データが記録された帳票を利用して復路の切符を購入することができ、顧客の入力作業の軽減、及び購入時間の短縮が可能となる。その結果、更に顧客の利便性を向上させることができる。
【実施例１０】
【０２４７】
次に本発明の実施例１０について説明する。なお、上記実施例９と同様な箇所には同一符号を付して説明は省略する。図５１は実施例１０の自動改札機の構成を示すブロック図である。
【０２４８】
図５１において、本実施例１０の自動改札機２５１が上記実施例９の自動改札機２０１と異なる点は、乗車希望データ書込部２１２と、乗車希望データ読取部２１０の代わりに、バーコードデータ印刷部２５４と、バーコードデータ読取部２５３とを備えている点である。
【０２４９】
バーコードデータ印刷部２５４は、印字部２１３と共に発行部２１４の搬送路中に配設されており、一方、バーコードデータ読取部２５３は、受入部２０８の搬送路中に配設されている。
【０２５０】
バーコードデータ印刷部２５４は、乗車希望データのバーコードを生成するバーコード生成部と、帳票の表面に、生成したバーコードを印刷する印刷部とを備えており、主制御部２０５から乗車希望データを受信すると、バーコード生成部が乗車希望データを示すバーコードを作成し、印刷部が帳票表面に該バーコードを印刷する。なお、バーコードの印刷は、印字部２１３で行うようにしても良い。
【０２５１】
バーコードデータ読取部２５４は切符表面に印刷されたバーコードを読み取り、後述する解析部にバーコードデータとして送信する読取部と、該読取部からバーコードデータを受信し、該バーコードデータとして記憶された情報を認識して所定のデータに変換し、主制御部２０５に送信する解析部とを備えており、読取部が切符に印刷されたバーコードを読み取ると、該読み取ったバーコードをバーコードデータとして解析部に送信し、解析部は読取部から受信したバーコードデータとして記憶された情報を認識して所定のデータに変換し、主制御部２０５に送信する。
【０２５２】
なお、その他の構成は実施例９と同様であるので説明は省略する。
次に上記実施例２の自動券売機５１で発券された、乗車希望データがバーコードデータとして印刷されている切符が上記構成における自動改札機２５１に挿入されたときの、該自動改札機２５１の動作について図５１を参照し、図５２に示すフローチャートに従って説明する。図５２は実施例１０の自動改札機の動作を示すフローチャートである。
【０２５３】
図５１において、顧客が取込口から切符を挿入すると、図示せぬ検知センサが切符を検知し、主制御部２０５に切符が挿入されたことを示す情報が送信され、これを受けて主制御部２０５は図５２に示すフローチャートを開始する。ステップＳ９０１で受入部２０８は図示せぬ搬送手段を駆動して切符を自動改札機２５１内部へと取り込み、磁気データ読取部２０９へと切符を搬送する。磁気データ読取部２０９に切符が到達すると、ステップＳ９０２で図示せぬ磁気ヘッドにより切符の磁気記憶部に書き込まれた乗車駅名、降車駅名等の所定の磁気データを読み取り、該読み取った所定の磁気データを主制御部２０５へと送信する。主制御部２０５は磁気データを受信すると、ゲートを閉状態から開状態へとして良いか否かの判断を行い、判断結果を記憶部２０６に記憶する。
【０２５４】
切符の搬送動作は継続され、バーコードデータ読取部２５３へと切符は搬送される。バーコードデータ読取部２５３に切符が到達すると、ステップＳ９０３で読取部が切符に印刷されたバーコードを読み取り、該読み取ったバーコードをバーコードデータとして解析部に送信する。解析部は読取部から受信したバーコードデータに記憶された乗車駅名、降車駅名、座席位置、座席条件である乗車希望データを認識して所定のデータに変換し、主制御部２０５へと送信する。そしてステップＳ９０４へと進む。
【０２５５】
主制御部２０５は切符がバーコードデータ読取部２５３へと到達した後、所定時間内にバーコード読取部２５３から乗車希望データを受信すると、ステップＳ９０４からステップＳ９０５へと進み、乗車駅データ（「東京駅」）はそのまま乗車希望データの乗車駅データとして記憶部２０６に記憶し、降車駅データ（「新大阪」）もまたそのまま乗車希望データの降車駅データとして記憶すると共に、座席位置データ（「窓側」）と、座席条件データ（「禁煙」）もまた乗車希望データとして記憶する。
【０２５６】
一方、主制御部２０５は所定時間内にバーコード読取部２５３から乗車希望データを受信することができなかった場合には、切符にはバーコードは印刷されていないと判断して、ステップＳ９０４からステップＳ９０８へと進む。
【０２５７】
ステップＳ９０４からステップＳ９０５へと進んだ場合、主制御部２０５は乗車希望データ帳票取出部２１１に対して帳票の繰り出しを指示し、また発行部２１４に対して帳票の発行を指示する。更に主制御部２０５は印字部２１３に対して乗車希望データが記録された帳票であることを示すデータを送信すると共に、バーコード印刷部２５４に対して乗車希望データを送信する。なお、バーコード印刷部２５４は乗車希望データを受信すると、バーコード生成部が乗車希望データを示すバーコードを作成する。
【０２５８】
乗車希望データ帳票取出部２１１は帳票の繰り出し指示を受信すると、搬送路に配設された図示せぬ繰出し手段を駆動して帳票収納庫から帳票を図示せぬ搬送路へと繰り出す。一方、発行部２１４は帳票の発行指示を受信すると、搬送路に配設された図示せぬ搬送手段を駆動して帳票収納庫から繰り出された帳票を排出口方向へと搬送する動作を開始すると共に、帳票が印字部２１３に到達すると、ステップＳ９０６で印字部２１３は搬送されてきた帳票の表面に、乗車希望データが記録された帳票であることを示すデータを印字する。更に帳票が搬送され、バーコードデータ印刷部２５４に到達すると、ステップＳ９０７でバーコードデータ印刷部２５４は帳票表面にバーコードを印刷する。
【０２５９】
帳票の表面に必要なデータが印字されると、ステップＳ９０８へと進み、主制御部２０５は帳票を排出口から排出させる。
【０２６０】
なお、ステップＳ９０９からステップＳ９１３までの処理は、上記実施例９のステップＳ８０９からステップＳ８１３までの処理と同様であるので説明は省略する。
【０２６１】
以上本発明の実施例１０においては、改札時、自動改札機２５１外部から内部へと挿入された切符から、バーコードデータ読取部２５３が発券に必要な所定の情報である乗車希望データを読み取り、該乗車希望データをバーコードデータ印刷部２５４が帳票に記録し、発行することにより、実施例２の自動券売機５１において発券された切符が自動改札機２５１に挿入された際に、乗車希望データを帳票に記録させて発行することができるようになる。これにより、往路の降車駅に到着して自動改札機２５１を通過し、往路の切符が自動改札機２５１に取り込まれた後で往路の切符を所持していない状態であっても、あるいは、乗車希望データを記憶している携帯端末装置を所持していない状態であっても、乗車希望データが記録された帳票を利用して復路の切符を購入することができ、顧客の入力作業の軽減、及び購入時間の短縮が可能となる。その結果、更に顧客の利便性を向上させることができる。
【図面の簡単な説明】
【０２６２】
【図１】実施例１の自動券売機の構成を示すブロック図である。
【図２】実施例１の自動販売機の表示画面を示す説明図である。
【図３】実施例１の自動券売機で発券された切符を示す説明図である。
【図４】実施例１の自動券売機の往路切符の発券動作を示すフローチャートである。
【図５】実施例１の自動券売機の表示画面を示す説明図である。
【図６】実施例１の自動券売機の表示画面を示す説明図である。
【図７】実施例１の自動券売機の表示画面を示す説明図である。
【図８】実施例１の自動券売機の表示画面を示す説明図である。
【図９】実施例１の自動券売機の復路切符の発券動作を示すフローチャートである。
【図１０】実施例１の自動券売機の復路切符の発券動作を示すフローチャートである。
【図１１】実施例２の自動券売機の構成を示すブロック図である。
【図１２】実施例２の自動券売機で発券された切符を示す説明図である。
【図１３】実施例２の自動券売機の往路切符の発券動作を示すフローチャートである。
【図１４】実施例２の自動券売機の復路切符の発券動作を示すフローチャートである。
【図１５】実施例１の自動券売機の復路切符の発券動作を示すフローチャートである。
【図１６】実施例３の自動券売機の構成を示すブロック図である。
【図１７】実施例３の携帯電話の構成を示すブロック図である。
【図１８】実施例３の自動券売機の表示画面を示す説明図である。
【図１９】実施例３の自動券売機の表示画面を示す説明図である。
【図２０】実施例３の自動券売機の往路切符の発券動作を示すフローチャートである。
【図２１】実施例３の自動券売機の表示画面を示す説明図である。
【図２２】実施例３の自動券売機の表示画面を示す説明図である。
【図２３】実施例３の携帯電話を示す正面図である。
【図２４】実施例３の自動券売機の復路切符の発券動作を示すフローチャートである。
【図２５】実施例３の自動券売機の復路切符の発券動作を示すフローチャートである。
【図２６】実施例４の自動券売機の構成を示すブロック図である。
【図２７】実施例４の携帯電話の構成を示すブロック図である。
【図２８】実施例４の自動券売機の表示画面を示す説明図である。
【図２９】実施例４の自動券売機の表示画面を示す説明図である。
【図３０】実施例４の自動券売機の往路切符の発券動作を示すフローチャートである。
【図３１】実施例５の自動券売機の構成を示すブロック図である。
【図３２】実施例５の自動券売機の表示画面を示す説明図である。
【図３３】実施例５の自動券売機の表示画面を示す説明図である。
【図３４】実施例５の自動券売機の表示画面を示す説明図である。
【図３５】実施例５の自動券売機の復路切符の発券動作を示すフローチャートである。
【図３６】実施例５の自動券売機の復路切符の発券動作を示すフローチャートである。
【図３７】実施例６の自動券売機の構成を示すブロック図である。
【図３８】実施例６の自動券売機の表示画面を示す説明図である。
【図３９】実施例６の自動券売機の表示画面を示す説明図である。
【図４０】実施例６の自動券売機の表示画面を示す説明図である。
【図４１】実施例６の自動券売機の表示画面を示す説明図である。
【図４２】実施例６の自動券売機の復路切符の発券動作を示すフローチャートである。
【図４３】実施例６の自動券売機の復路切符の発券動作を示すフローチャートである。
【図４４】実施例６の自動券売機の復路切符の発券動作を示すフローチャートである。
【図４５】実施例７の乗越し精算機の構成を示すブロック図である。
【図４６】実施例７の乗越し精算機の精算動作を示すフローチャートである。
【図４７】実施例８の乗越し精算機の構成を示すブロック図である。
【図４８】実施例８の乗越し精算機の精算動作を示すフローチャートである。
【図４９】実施例９の自動改札機の構成を示すブロック図である。
【図５０】実施例９の自動改札機の動作を示すフローチャートである。
【図５１】実施例１０の自動改札機の構成を示すブロック図である。
【図５２】実施例１０の自動改札機の動作を示すフローチャートである。
【符号の説明】
【０２６３】
１  自動券売機
１２  取込部
１８  切符
５１  自動券売機
５５  切符
５６  バーコード
６１  自動券売機
６５  携帯電話
７３  バーコード
８１  自動券売機
８２  電子メイル送信処理部
８５  携帯電話
１０１  乗越し精算機
１１３  取込部
１５１  乗越し精算機
２０１  自動改札機
２０８  受入部
２５１  自動改札機
３０１  自動券売機
３０２  乗車経路取得部
３５１  自動券売機
３５２  経由駅名入力部
【図１】
2008084163.tif 000003
【図２】
2008084163.tif 000004
【図３】
2008084163.tif 000005
【図４】
2008084163.tif 000006
【図５】
2008084163.tif 000007
【図６】
2008084163.tif 000008
【図７】
2008084163.tif 000009
【図８】
2008084163.tif 000010
【図９】
2008084163.tif 000011
【図１０】
2008084163.tif 000012
【図１１】
2008084163.tif 000013
【図１２】
2008084163.tif 000014
【図１３】
2008084163.tif 000015
【図１４】
2008084163.tif 000016
【図１５】
2008084163.tif 000017
【図１６】
2008084163.tif 000018
【図１７】
2008084163.tif 000019
【図１８】
2008084163.tif 000020
【図１９】
2008084163.tif 000021
【図２０】
2008084163.tif 000022
【図２１】
2008084163.tif 000023
【図２２】
2008084163.tif 000024
【図２３】
2008084163.tif 000025
【図２４】
2008084163.tif 000026
【図２５】
2008084163.tif 000027
【図２６】
2008084163.tif 000028
【図２７】
2008084163.tif 000029
【図２８】
2008084163.tif 000030
【図２９】
2008084163.tif 000031
【図３０】
2008084163.tif 000032
【図３１】
2008084163.tif 000033
【図３２】
2008084163.tif 000034
【図３３】
2008084163.tif 000035
【図３４】
2008084163.tif 000036
【図３５】
2008084163.tif 000037
【図３６】
2008084163.tif 000038
【図３７】
2008084163.tif 000039
【図３８】
2008084163.tif 000040
【図３９】
2008084163.tif 000041
【図４０】
2008084163.tif 000042
【図４１】
2008084163.tif 000043
【図４２】
2008084163.tif 000044
【図４３】
2008084163.tif 000045
【図４４】
2008084163.tif 000046
【図４５】
2008084163.tif 000047
【図４６】
2008084163.tif 000048
【図４７】
2008084163.tif 000049
【図４８】
2008084163.tif 000050
【図４９】
2008084163.tif 000051
【図５０】
2008084163.tif 000052
【図５１】
2008084163.tif 000053
【図５２】
2008084163.tif 000054